(57)【特許請求の範囲】
【請求項１】
使用者の身体部分に圧迫を加えるための圧迫装置であって、
前記使用者の身体部分の一部を実質的に覆うためのスリーブを備え、
前記スリーブが、外側表面、内側表面、上縁部、下縁部、及び２つの側縁部を有し、第１の側縁部から第２の側縁部にかけての横断方向において、前記スリーブが、第１の側部領域、中央領域、及び第２の側部領域を有し、前記スリーブの少なくとも前記中央領域が、少なくとも前記スリーブの横断方向における弾性として、１０Ｎ／ｃｍ幅の荷重下で５％〜最大３０％以下の前記横断方向における最大伸長率を有し、かつ、伸長率２０％〜伸長率２５％における横断方向の張力の差分商が０．６Ｎ／ｃｍ幅／伸長率（％）以上である、繊維性の布地を含む主材料を含み、
前記装置が解放可能な閉鎖システムを更に備え、使用時に前記閉鎖システムが閉鎖される際、前記スリーブが前記使用者の前記身体部分の周囲に拘束及び締め付けられるように、前記閉鎖システムが構成され、かつ前記スリーブに対して配置されている、圧迫装置。
【請求項２】
前記主材料の伸長率３０％における長手方向の張力に対する伸長率３０％における横断方向の張力の比が、１．８超であり、
かつ／又は、
前記主材料の１分間の保持後の伸長率３０％における長手方向の張力に対する１分間の保持後の伸長率３０％における横断方向の張力の比が、１．８超である、請求項１に記載の圧迫装置。
【請求項３】
前記主材料の内側表面から外側表面への水蒸気透過率が、２０００ｇ／（ｍ２・２４時間）以上である、請求項１又は２のいずれかに記載の圧迫装置。
【請求項４】
前記スリーブ及び前記閉鎖システムが、使用時に、前記閉鎖システムの閉鎖に際して、前記スリーブの前記２つの側縁部同士が互いに引き寄せられるが、重なり合わないように構成及び配置される、請求項１〜３のいずれか一項に記載の圧迫装置。
【請求項５】
前記閉鎖システムが、機械的締結閉鎖システムを含み、前記第１の側部領域及び／又は前記第２の側部領域に、それぞれが近位端部及び遠位端部を有する複数のタブが設けられ、前記近位端部が前記スリーブの前記第１の側部領域及び／又は前記第２の側部領域にそれぞれ解放可能又は固定的に取り付けられることにより、前記タブがそれぞれ前記第１の側縁部及び／又は前記第２の側縁部を横切って、前記スリーブのほぼ横断方向に、その遠位端部が前記スリーブの前記中央領域から遠くに位置するようにして延び、各タブが内側主表面を有し、前記タブの前記遠位端部の前記内側主表面が機械的締結システムの一部を含み、各タブに対向する前記第２の側部領域及び／又は前記第１の側部領域のそれぞれの少なくとも前記外側表面が、前記機械的締結システムの相補的部分を含む、請求項１〜４のいずれか一項に記載の圧迫装置。
【請求項６】
前記閉鎖システムが、機械的締結閉鎖システムを含み、前記スリーブの前記第２の側部領域に、前記スリーブの前記上縁部と前記下縁部との間に連続した複数のアイレット又は複数のリングが設けられ、前記装置が、複数のストリップ形状の機械的締結タブを更に備え、適用可能な場合、それぞれのアイレット又はリングに対して、内側タブ部分によって連結された近位端部と遠位端部とを有する１個のタブが設けられ、適用可能な場合、前記タブが、アイレット又はリングに対向して位置するとともに、その遠位端部が前記スリーブの前記中央領域から遠くに位置するようにして前記スリーブのほぼ横断方向に延びるように、前記近位端部が、前記スリーブの前記第１の側部領域に解放可能又は固定的に取り付けられ、各タブが、前記スリーブの前記外側表面に向かって位置する内側主表面と、前記スリーブの前記外側表面から離れて位置する外側主表面とを有し、前記タブの前記遠位端部の前記外側主表面が、機械的締結システムの一部を含み、前記タブの前記近位端部の前記外側主表面が、前記機械的締結システムの相補的部分を含み、適用可能な場合、前記タブ及びアイレット又はリングが、適用可能な場合、使用時に、前記タブが前記アイレット又はリングに通され、次いでそれ自体の上に折り返されることにより、適用可能な場合、前記スリーブの前記第１の側縁部が前記アイレット又はリングの方向に引かれ、次いで前記スリーブが前記使用者の前記身体部分の周囲に締め付けられて拘束されるよう締結されるように、構成及び配置されている、請求項１〜４のいずれか一項に記載の圧迫装置。
【請求項７】
前記スリーブの前記第１の側部領域が、トリミング可能である、請求項６に記載の圧迫装置。
【請求項８】
前記スリーブに連続した前記複数のリングが設けられ、各リングが、前記スリーブと前記リングとの間で、前記スリーブのほぼ横断方向に延びるストラップにより解放可能又は固定的に取り付けられ、
前記ストラップの少なくとも一部が少なくとも横断方向に伸展可能であり、前記伸展可能な部分が、少なくとも横断方向に弾性を有する材料を含むとともに、前記伸展可能な部分が非伸展状態にある場合には外側に隆起した材料のループが外面に形成され、使用時に前記スリーブの横断方向に張力がかかっている場合には前記伸展可能な部分が横断方向に伸展して前記ループが平らに潰れるように、構成及び配置されている、請求項６又は７のいずれかに記載の圧迫装置。
【請求項９】
前記ストラップの前記伸展可能な部分が、外側材料層及び内側材料層の２層を有し、前記外側材料層及び内側材料層の材料がそれぞれ少なくとも横断方向に弾性を有し、前記内側材料層の材料の弾性率に前記内側材料層の材料の厚さを乗じた積が、前記外側材料層の材料の弾性率に前記外側材料層の材料の厚さを乗じた積よりも小さく、前記外側材料層の材料が前記ループの材料であり、前記内側材料層が前記外側材料層に結合されることにより、前記伸展可能なストラップ部分が非伸展状態にある場合、前記内側材料層の上に前記外側材料層の材料のループが形成され、該ループは、使用時に前記ストラップの伸展可能な部分に横断方向の張力、したがって伸展がかかっている場合には平らに潰れることができる、請求項８に記載の圧迫装置。
【請求項１０】
前記スリーブが、前記スリーブの前記上縁部と前記下縁部との間にほぼ縦に延びる細長い伸展可能なガセットを含み、前記ガセットが前記スリーブの少なくとも横断方向に伸展可能であり、前記伸展可能なガセットが、少なくとも横断方向に弾性を有する材料を含むとともに、前記伸展可能なガセットがその非伸展状態にある場合には外側に隆起した材料のループが外面に形成され、使用時に前記スリーブの横断方向に張力がかかっている場合には前記伸展可能なガセットが横断方向に伸展して、前記ループが平らに潰れるように、構成及び配置されている、請求項１〜９のいずれか一項に記載の圧迫装置。
【発明の詳細な説明】
【技術分野】
【０００１】
本開示は、圧迫装置に関する。詳細には、本開示は、浮腫及び他の静脈性及びリンパ性の疾患、より詳細には、静脈性下腿潰瘍及び手足のリンパ浮腫の治療及び／又は管理に使用するための使用者の身体の部分（例えば、手足、胴体、首又は頭部）に圧迫を加えるための圧迫装置に関する。
【背景技術】
【０００２】
圧迫療法は、一般的に、心臓に血液又はリンパ液を還流させるうえで不充分な静脈又はリンパ系を支援することを目的として行われる。したがって圧迫は、例えば、静脈性下腿潰瘍、及びリンパ浮腫などの他の臨床的状態などの浮腫及び他の静脈性及びリンパ性疾患の治療に使用するための標準的な治療法と一般的に考えられている。静脈リンパの還流、及び慢性静脈性（下腿）潰瘍の治癒に対する圧迫療法の有利な効果については、医学文献に多くが記載されている。
【０００３】
圧迫包帯は、圧迫療法で使用される一般的な圧迫システムの１つである。このような圧迫包帯の使用には、一般的に多層圧迫包帯の適用をともなう。多くのこのような多層包帯システムの背後にある１つの考え方は、複数の異なる種類の包帯層の組み合わせを使用することで、複数層で圧力を加え（累積圧力を与える）、しっかりと固定された持続的な圧迫を与えることである。市販の圧迫包帯としては、「３Ｍ  ＣＯＢＡＮ  ２  ＬＡＹＥＲ  ＣＯＭＰＲＥＳＳＩＯＮ  ＳＹＳＴＥＭ」及び「３Ｍ  ＣＯＢＡＮ  ２  ＬＩＴＥ  ＣＯＭＰＲＥＳＳＩＯＮ  ＳＹＳＴＥＭ」の商品名で販売される包帯が挙げられる。一般的に、適正かつ効果的な圧迫包帯を確実に施すためには、通常は医療従事者が包帯を適用する必要がある。リンパ浮腫の治療又は浮腫が存在する他の圧迫療法の開始時には、圧迫療法の間に浮腫の量が低減することにともなう圧迫包帯の圧力の変化（例えば圧力の低下）及び／又は圧力のむらの変化のために、圧迫包帯を頻繁に交換する必要が通常あることを考慮すると、継続的な圧迫治療を行うために所望の圧力プロファイルが得られるように医療従事者に圧迫包帯を交換及び再適用させる必要があることは制約的であり得る。
【０００４】
圧迫ストッキングは、使用者自身によってしばしば着用される。しかしながら、こうした圧迫ストッキングは、しばしば望ましい圧迫圧力を与えず、あるいは装着が極めて困難である。更に、圧迫ストッキングは、着脱を可能とするような高い延伸性を示す高い弾性を有する必要がある。こうしたストッキングは、手足に着用されている間、高い延伸性を保持するものであり、したがって圧迫療法における効果の点で比較的制約がある。
【０００５】
他の圧迫システムも市販及び／又は提案されている。例えば、米国特許第６，１５２，８９３号（ピッグ（Pigg）ら、スミス・アンド・ネフュー社（SMITH& NEPHEW））は、手足に巻かれる柔軟な非伸展性シートを含む、手足に所定の圧迫を加えるための圧迫装置であって、前記シートには、装置を手足に固定するために、シートの対向縁部にそれぞれが沿った複数の協働する第１及び第２の締結部分が設けられ、前記第１の締結部分には、複数の第１及び第２の関連する標示が設けられ、その複数の第１及び第２の関連する標示は、圧迫をもたらすために前記第１及び第２の締結部分に対する前記第１の標示によって示されるゼロの張力を加えることと、前記第２の標示によって示される所定の最適な大きさの張力を加えることとの間の、前記第２の締結部分に対する前記第１の締結部分の相対運動を視覚的に示す、圧迫装置を開示している。国際公開第ＷＯ  ０１／７２２５０号（ベネット（Bennet）ら、ネオプレス社（NEOPRESS））は、患者の下腿及び足の周囲に創口ドレッシングを支持するための弾性圧迫支持体であって、パネルと、そのパネルの２つの長縁部を互いに引き寄せるための線状の締結要素と、を備え、締結要素が、パネルの縁部に沿ってパネルと固定されるか又はパネルと一体化された、互いに整列された一対のテープ又はタブを含み、そのテープ又はタブは、前記テープ又はタブを互いに離れる方向に反対方向に引くことによってパネルが手足の周囲を圧迫して締着されるように配置され、パネルが、ふくらはぎの裏側及び足の下に位置する、長延伸性の微小穿孔ネオプレンで形成された中央部材と、パネルの２つの長縁を形成し、臑及び足の前面に沿って位置する、短延伸性の微小穿孔ネオプレンで形成された２個の側部部材とを含む３個の部材で形成される、弾性圧迫支持体を開示している。国際公開第ＷＯ  ９７／４６１８１号（ショー（Shaw）ら、サーケイド・メディカル・プロダクツ社（CIRCAID MEDICAL PRODUCTS）は、中央巻回領域と一体に連結され、その中央領域の両側から互いに反対方向に外側に延びて身体部分を包囲する複数対の身体又は手足包囲バンドを含む治療用圧迫衣服を開示している。国際公開第ＷＯ  ２０１１／０６６２３７号（リプショー（Lipshaw）ら、サーケイド・メディカル・プロダクツ社（CIRCAID MEDICAL PRODUCTS））は、本体部分と、脊柱部分とを有し、脊柱部分が脊柱の湾曲に沿って本体部分に着脱可能に取り付けられることによって、脊柱部分が本体部分の異なる位置に配置可能であり、本体部分及び／前記脊柱部分からバンドが延び、これらのバンドが、本体部分及び脊柱部分が身体の手足に巻かれる際に本体部分と脊柱部分とを互いに更に固定する、治療用圧迫衣服を開示している。本体部分、及び脊柱の湾曲にわたって取り付けられる脊柱部分で形成される同様の衣類が商品名ＪＵＸＴＡ−ＣＵＲＥＳの商品名でサーケイド社（CIRCAID）より販売されており、この衣類は、本体部分及び脊柱部分の両方と一体に連結された４本の手足包囲バンド（フックアンドループ式ファスナーをそれぞれが有するものがそれぞれの側に２本ずつ）を有し、これらのバンドは衣類の２つの反対側に沿って互い違いの位置に配置され、衣類の両側から互いに反対方向に外側に延びて身体部分を包囲するよう��なっている。米国特許出願公開第２００５／０２０９５４５号（ファロー（Farrow）ら、ファロー・メディカル社（FARROW MEDICAL））は、複数の相互連結可能な圧縮性又は非圧縮性材料のバンドを含む、身体部分に圧力を加えるための装置であって、バンドを、背骨又は連結手段により、各バンドの縦方向に中心で重ね合わせるか又は連結することができる、装置を開示している。同様のシステムが、ＦＡＲＲＯＷＷＲＡＰの商品名でファロー社（FARROW）より販売されている。
【発明の概要】
【発明が解決しようとする課題】
【０００６】
上記に述べた他の圧迫システムは、１つには装着が容易であり得る一方で、これらのシステムは、例えば、所望の治療的圧迫圧が与えられない、かつ／又は例えばバンド又は他の開放空間の間に隙間が生じる（圧迫中の領域内に望ましくない非圧迫範囲が生じ、ひいてはこうした範囲に液体が蓄積する可能性につながる）、かつ／又は皺がよる、かつ／又は重なり合わない領域間に狭い重なり合い領域を有する（最後の２つは、過剰に高い圧力の特定の領域において不均一な圧力につながる）など、依然、多くの問題点を有している。
【０００７】
したがって、充分に効果的な圧迫療法を与えると同時に装着及び使用が簡単であり、理想的には、医療従事者にその都度、装着及び／又は交換してもらう必要が必ずしもない、圧迫装置が依然として求められるか又は望まれている。
【課題を解決するための手段】
【０００８】
本発明者らは、使用者の身体部分（例えば手足、胴体、首、頭）の一部を実質的に覆うためのスリーブであって、そのスリーブに閉鎖システムが設けられることにより、使用時に、閉鎖システムの閉鎖に際して、スリーブが使用者の身体部分の周囲に拘束かつ締め付けられることによって圧迫を与え（例えばスリーブの側縁部を互いに引き寄せることにより）、圧迫を与えるように機能するスリーブの主材料が特定の選択された材料特性を有する、スリーブを提供することが特に有利であることを見出した。この点に関し、スリーブの横断方向における弾性として、スリーブの横断方向における１０Ｎ／ｃｍ幅の荷重下で５％〜３０％の最大伸長率、及び、伸長率２０％〜伸長率２５％の前記横断方向における張力の差分商が少なくとも０．６Ｎ／ｃｍ幅／伸長率（％）である材料を使用することが特に好ましいことが見出された。
【０００９】
したがって、使用者の身体部分の一部を実質的に覆うためのスリーブを含む、使用者の身体部分に圧迫を加えるための圧迫装置であって、スリーブが、外側表面、内側表面、上縁部、下縁部、及び２つの側縁部を有し、第１の側縁部から第２の側縁部にかけての横断方向において、スリーブが、第１の側部領域、中央領域、及び第２の側部領域を有し、スリーブの少なくとも中央領域が、少なくともスリーブの横断方向における弾性として、１０Ｎ／ｃｍ幅の荷重下で５％〜最大３０％以下の前記横断方向における最大伸長率を有し、かつ、伸長率２０％〜伸長率２５％における横断方向の張力の差分商が０．６Ｎ／ｃｍ幅／伸長率（％）以上である材料（以下、「主材料」と呼ぶ）を含み、装置が解放可能な閉鎖システムを更に含み、使用時に閉鎖システムが閉鎖される際、スリーブが使用者の身体部分の周囲に拘束及び締め付けられるように前記閉鎖システムが構成され、かつスリーブに対して配置されている、圧迫装置を開示するものである。
【００１０】
説明を分かりやすくするため、使用者の身体部分（例えば手足、胴体、首又は頭）への圧迫装置の適用後には、スリーブの横断方向は、周方向ともなる点は認識されるべきである。ＡＳＴＭ  Ｄ４８４８−９８（２０１２）及びＢＳ  ＥＮ  １４７０４−１：２００５によれば、弾性とは、変形を引き起こす力が取り除かれた後、材料がすぐにその元のサイズ及び形状を回復しようとする材料の性質のことである。伸長率及び回復伸長率は、例えば下記の実験の項で、「伸長率及び回復伸長率の試験方法」と称されるサブセクションに詳細に述べられるようなＢＳ  ＥＮ  １４７０４−１：２００５規格「布地の弾性の測定、第１部：ストリップ試験」：方法Ａ、編地（「Ｄｅｔｅｒｍｉｎａｔｉｏｎ  ｏｆ  ｔｈｅ  ｅｌａｓｔｉｃｉｔｙ  ｏｆ  ｆａｂｒｉｃｓ，−Ｐａｒｔ  １：Ｓｔｒｉｐ  ｔｅｓｔｓ」：Ｍｅｔｈｏｄ  Ａ，Ｋｎｉｔｔｅｄ  Ｆａｂｒｉｃｓ）に従って測定することができる。張力は、例えば下記の実験の項で、「張力の試験方法」と称されるサブセクションに詳細に述べられるようなＢＳ  ＥＮ  １４７０４−１：２００５「布地の弾性の測定、第１部：ストリップ試験」：方法Ａ、編地（「Ｄｅｔｅｒｍｉｎａｔｉｏｎ  ｏｆ  ｔｈｅ  ｅｌａｓｔｉｃｉｔｙ  ｏｆ  ｆａｂｒｉｃｓ，−Ｐａｒｔ  １：Ｓｔｒｉｐ  ｔｅｓｔｓ」：Ｍｅｔｈｏｄ  Ａ，Ｋｎｉｔｔｅｄ  Ｆａｂｒｉｃｓ）に従って測定することができる。
【００１１】
スリーブに、極めて短い伸び特性、及び前記横断方向における伸長率２０％〜伸長率２５％において比較的高い（すなわち急な）張力の差分商を有する材料を使用することにより、適用後に引き伸ばしに対する高い抵抗を示す結果、望ましい高い定常圧力を与える圧迫装置を与えることができる。このことは、効果的な圧迫療法に特に有利であることが示されている。更に、一実施形態では、伸長率２０％〜伸長率２５％において急な差分商を有する選択された圧迫材料を使用した、延伸率が約１０％〜約２０％の圧迫装置を適用することが望ましく、これにより、適用後に圧迫材料が更なる引き伸ばしに抗することで、高い定常圧力が実現される。
【００１２】
一実施形態では、伸長率２０％〜伸長率２５％における横断方向の張力の差分商は、０．８Ｎ／ｃｍ幅／伸長率（％）以上であり、一実施形態では、１．０Ｎ／ｃｍ幅／伸長率（％）以上であり、一実施形態では、１．２Ｎ／ｃｍ幅／伸長率（％）以上であり、一実施形態では、１．４Ｎ／ｃｍ幅／伸長率（％）以上である。一実施形態では、伸長率２０％〜伸長率２５％における横断方向の張力の差分商は、１２Ｎ／ｃｍ幅／伸長率（％）以下であり、一実施形態では、１０Ｎ／ｃｍ幅／伸長率（％）以下であり、一実施形態では、８Ｎ／ｃｍ幅／伸長率（％）以下であり、一実施形態では、６Ｎ／ｃｍ幅／伸長率（％）以下である。
【００１３】
主材料は、前記横断方向の最大伸長率が、１０Ｎ／ｃｍ幅の荷重下で６％以上、一実施形態では、１０Ｎ／ｃｍ幅の荷重下で７％以上である。一実施形態では、主材料は、前記横断方向の最大伸長率が、１０Ｎ／ｃｍ幅の荷重下で２７％以下、一実施形態では、１０Ｎ／ｃｍ幅の荷重下で２５％以下、一実施形態では、１０Ｎ／ｃｍ幅の荷重下で２３％以下である。
【００１４】
例えば、より低い仰臥位（安静姿勢の）圧力によって快適性を高めるには、主材料の伸長率１５％〜伸長率２０％における横断方向の張力の差分商は、伸長率２０％〜伸長率２５％における横断方向の張力の差分商よりも浅いことが望ましい。一実施形態では、伸長率１５％〜伸長率２０％における横断方向の張力の差分商は、伸長率２０％〜伸長率２５％における横断方向の張力の差分商の７０％以下であり、一実施形態では、伸長率２０％〜伸長率２５％における横断方向の張力の差分商の５５％以下であり、一実施形態では、伸長率２０％〜伸長率２５％における横断方向の張力の差分商の４５％以下であり、一実施形態では、伸長率２０％〜伸長率２５％における横断方向の張力の差分商の３５％以下である。
【００１５】
圧迫装置、特にそのスリーブの望ましい外形の適合を促進するため、主材料はスリーブの長手方向に弾性を有することが望ましい。主材料は、長手方向に簡単に引き伸ばすことができるような異方性の弾性特性を示すことがより望ましい。一実施形態では、主材料は、伸長率３０％（又は１分間の保持後の伸長率３０％）における長手方向の張力に対する伸長率３０％（又は１分間の保持後の伸長率３０％）における横断方向の張力の比が、１．８超であり、一実施形態では２．０以上、一実施形態では２．２以上である。
【００１６】
一実施形態では、圧迫装置は、中央領域の面積がスリーブの全面積の少なくとも４０％（具体的には少なくとも４５％、より具体的には少なくとも５０％）であるように構成及び配置される。これに加えるか又はこれに代えて、圧迫装置は、下縁部から上縁部までのスリーブの高さの２／３に相当する高さにおいて、スリーブの中央領域が、スリーブの横断方向にスリーブを横切って４０％以上延びるように構成及び配置することができる。
【００１７】
一実施形態では、スリーブの中央領域の全面積の少なくとも８５％（具体的には少なくとも９０％、より具体的には少なくとも９５％）が、前記主材料で形成される。
【００１８】
圧迫装置、特にそのスリーブは、使用時に拡張するかかつ／又はその形態を変化させるため、上記の面積比率（％）及び幅は、装置が使用されていない場合の装置の面積及び幅にそれぞれ対するものである。更に、スリーブ、特にその中央領域が、主材料の対応する性質を有する単一の材料、又はこれに代えてそれぞれが主材料の対応する性質を有する１種以上の材料、又はこれに代えて主材料の対応する性質を有する複合材料（例えば積層体）の形態の１種以上の材料を含むか又はこれで形成することができる点は認識されるべきである。
【００１９】
上記に示したように、本明細書に述べられる圧迫装置、特にそのスリーブは、例えば、浮腫の治療及び／又は管理に使用する目的で、使用者の手足の一部、胴体の一部、首の一部、頭の一部、頭頸部の一部を覆うのに特に適している。
【００２０】
手足に圧迫を加えるための圧迫装置では、手足の少なくとも１つの主要な筋肉を覆って延びるよう、手足を覆うようにスリーブを構成及び配置することができる。例えば、脚に使用されるように設計された圧迫装置では、上記の少なくとも主要な筋肉は、以下のもの、すなわち、前脛骨筋、ヒラメ筋、腓腹筋、大腿二頭筋、大腿直筋、内側広筋、中間広筋、外側広筋から選択することができる。最初の３つの筋肉が下腿の主要筋であるのに対して、後の５つの筋肉は上腿の主要筋である（最後の４つは、大腿四頭筋と呼ばれる筋群を形成する）点は認識されるであろう。圧迫装置は、下腿のみ、又は上腿のみ、又は上腿と下腿の両方に使用されるように設計することができる。一般的には、主要筋の組み合わせが覆われることになる点も認識されるであろう。腕に使用されるように設計された圧迫装置では、上記の少なくとも主要な筋肉は、以下のもの、すなわち、橈側手根屈筋、尺側手根屈筋、長掌筋、腕橈骨筋、上腕二頭筋、上腕三頭筋、上腕筋から選択することができる。最初の４つの筋肉が下腕の主要筋であるのに対して、後の３つは上腕の主要筋であり、圧迫装置は、下腕若しくは上腕のみに対して、又は上腕及び下腕の両方に使用されるように設計することができる点は認識されるであろう。この場合にもやはり、一般的には、主要筋の組み合わせが覆われることになることが認識されるであろう。
【００２１】
従属請求項は、本発明の更なる実施形態を定義するものである。
【００２２】
本発明は、本明細書に述べられる発明の特定の適当な望ましくまた好適な有利かつ好ましい態様のすべての組み合わせを網羅するものである点は理解されるべきである。
【図面の簡単な説明】
【００２３】
次に本発明を添付図面を参照しながら説明する。
【図１】本明細書に述べられる圧迫装置の代表的な一実施形態の平面図であり、
【図２】図１に示される代表的な実施形態の断面図を示す。
【図３ａ】使用者の下腿に使用された状態で示されている図１及び２に示される代表的な実施形態の正面斜視図であり、
【図３ｂ】中心軸Ａ（図３ａにも示される）を含む平面Ｐ上への軸Ｒ（図３ａに示される）の投射を示す。
【図４】本明細書に述べられる圧迫装置の別の代表的な実施形態の平面図であり、
【図５】図４に示される代表的な実施形態の断面図を示す。
【図６】本明細書に述べられる圧迫装置の更なる代表的な実施形態の平面図であり、
【図７】図６の代表的な実施形態の断面図を示す。
【図８】本明細書に述べられる圧迫装置の更なる別の代表的な実施形態の平面図であり、
【図９】図８の代表的な実施形態の断面図を示す。
【図１０ａ】使用者の下腿に使用された状態で示されている図８及び９に示される代表的な実施形態の正面斜視図であり、
【図１０ｂ】中心軸Ａ（図１０ａにも示される）を含む平面Ｐ上への軸Ｇ及びＲ（図１０ａにも示される）の投射を示す。
【図１１】本明細書に述べられる圧迫装置の更なる代表的な実施形態の平面図であり、
【図１２】図１１に示される代表的な実施形態の断面図を示す。
【図１３】試験に使用した試作品の構成の平面図であり、
【図１４】図１３に示される試作品の構成の断面図を示す。
【図１５ａ】ゲーリング・テキスタイルズ社（Gehring Textiles Inc.）（米国、ニューヨーク州ガーデンシティー、１１５３０）よりＳＨＲ  ７００／３  Ｄ３  Ｄ／Ｏ  ７２０８８１０（Ｍ１）の商品名で販売される経編されたスペーサー布地のＳＥＭ画像及び光学顕微鏡画像を示したものであり、一方の面（面１）の外側表面を示す。
【図１５ｂ】ゲーリング・テキスタイルズ社（Gehring Textiles Inc.）（米国、ニューヨーク州ガーデンシティー、１１５３０）よりＳＨＲ  ７００／３  Ｄ３  Ｄ／Ｏ  ７２０８８１０（Ｍ１）の商品名で販売される経編されたスペーサー布地のＳＥＭ画像及び光学顕微鏡画像を示したものであり、他方の面（面２）の外側表面を示す。
【図１５ｃ】ゲーリング・テキスタイルズ社（Gehring Textiles Inc.）（米国、ニューヨーク州ガーデンシティー、１１５３０）よりＳＨＲ  ７００／３  Ｄ３  Ｄ／Ｏ  ７２０８８１０（Ｍ１）の商品名で販売される経編されたスペーサー布地のＳＥＭ画像及び光学顕微鏡画像を示したものであり、他方の面（面２）の外側表面を示す。
【図１５ｄ】ゲーリング・テキスタイルズ社（Gehring Textiles Inc.）（米国、ニューヨーク州ガーデンシティー、１１５３０）よりＳＨＲ  ７００／３  Ｄ３  Ｄ／Ｏ  ７２０８８１０（Ｍ１）の商品名で販売される経編されたスペーサー布地のＳＥＭ画像及び光学顕微鏡画像を示したものであり、縦方向の側面図を示す。
【図１５ｅ】ゲーリング・テキスタイルズ社（Gehring Textiles Inc.）（米国、ニューヨーク州ガーデンシティー、１１５３０）よりＳＨＲ  ７００／３  Ｄ３  Ｄ／Ｏ  ７２０８８１０（Ｍ１）の商品名で販売される経編されたスペーサー布地のＳＥＭ画像及び光学顕微鏡画像を示したものであり、横方向の側面図を示す。
【図１６ａ】ミュラー・テキスタイル社（Mｕller Textil）（ドイツ、ヴィール、５１６７４）より３  Ｍｅｓｈ  ５９９２（Ｍ２）の商品名で販売される経編されたスペーサー布地のＳＥＭ画像を示したものであり、一方の面（面１）の外側表面を示す。
【図１６ｂ】ミュラー・テキスタイル社（Mｕller Textil）（ドイツ、ヴィール、５１６７４）より３  Ｍｅｓｈ  ５９９２（Ｍ２）の商品名で販売される経編されたスペーサー布地のＳＥＭ画像を示したものであり、他方の面（面２）の外側表面を示す。
【図１６ｃ】ミュラー・テキスタイル社（Mｕller Textil）（ドイツ、ヴィール、５１６７４）より３  Ｍｅｓｈ  ５９９２（Ｍ２）の商品名で販売される経編されたスペーサー布地のＳＥＭ画像を示したものであり、縦方向の側面図を示す。
【図１６ｄ】ミュラー・テキスタイル社（Mｕller Textil）（ドイツ、ヴィール、５１６７４）より３  Ｍｅｓｈ  ５９９２（Ｍ２）の商品名で販売される経編されたスペーサー布地のＳＥＭ画像を示したものであり、横方向の側面図を示す。
【図１７】実験のセクションにおいて試験した５種類の材料Ｍ１、Ｍ２、ＣＳ１、ＣＳ２及びＣＳ３について伸長率（％）に対する張力のプロットを示す。
【００２４】
以下の説明文では、特に明らかに断らないかぎりは、「上」、「下」、「上方」、「下方」といった語は、各図に示される要素を指すものにすぎず、使用される向きなどに関していっさいの限定をしようとするものではない。すべての図が同じ縮尺というわけではない。
【発明を実施するための形態】
【００２５】
本発明は、本明細書に述べられる発明の特定の適当な望ましくまた好適な有利かつ好ましい態様のすべての組み合わせを網羅するものである点は理解されるべきである。
【００２６】
図１は、使用者の身体部分、特に手足に圧迫を加えるために用いられる圧迫装置（１００）の代表的な一実施形態の外面の平面図を示し、図２は、この代表的な実施形態の断面図を示す。装置は、使用者の身体部分の一部、特に手足の一部を実質的に覆うためのスリーブ（１）を有している。スリーブは、外側表面（３）、内側表面（４）、上縁部（７）、及び下縁部（８）を有している。装置が手足に使用される場合、通常は内側表面（４）が着用者／使用者に向かって位置付けされる。（以下において、「内側」なる語は、着用者／使用者に向かって位置する物を、「外側」なる語は着用者／使用者から離れて位置する物を指す。手足に圧迫を加えるために使用される圧迫装置では、上縁部が使用者の胴体に向かって、下縁部が使用者の胴体から離れて通常は位置付けられ、また、胴体、首、又は頭に圧迫を加えるために使用される圧迫装置では、上縁部が脚から遠くに、下縁部が脚の近くに通常は位置付けられ、その際、ほぼ横断方向に延びる上縁部及び下縁部の両方は、適用後、関連する身体部分の周囲にほぼ周方向に概ね位置付けられることになる。上記に述べたように、圧迫装置の使用者の身体部分（例えば手足）への適用後には、スリーブの横断方向は周方向ともなる。図１では、スリーブの横断方向は記号Ｔ←  →Ｔにより示され、スリーブの長手方向は記号Ｌ←  →Ｌにより示されている。図１より認識されるように、スリーブは、スリーブの上縁部から下縁部に延びる２つの側縁部（９、１０）を有している。スリーブの横断方向（第１の側縁部（９）から第２の側縁部（１０））において、スリーブは、第１の側部領域（１３）、中央領域（１４）、及び第２の側部領域（１５）を有している。
【００２７】
スリーブは平らにおいた場合（例えば図１に示されるように）に、ほぼ長方形、台形、又は不規則な形状を有し得る。例えば、本明細書に示される多くの代表的な実施形態（例えば図１）において、スリーブは、ほぼ台形の形状を有している。使用者の身体（例えば手足、胴体、首又は頭）の一部への最適な適合を促すためには、スリーブの上縁部及び／又は下縁部がわずかに湾曲していることが好ましく、具体的には、上縁部がわずかに凸状であってよく、かつ／又は下縁部がわずかに凹状若しくは凸状であってよい。これに代えるか又はこれに加えて、側縁部の一方又は両方がわずかに湾曲、詳細にはわずかに凸状であってもよい。これにより、よく発達した曲線部を覆った適合を促すことができる。使用時に、圧迫装置が身体部分（例えば手足、胴体、首又は頭）に適用される際、スリーブはほぼ円筒状、筒状、又は切頭円錐状の形状となることが好ましい。
【００２８】
本明細書に述べられる圧迫装置は、解放可能な閉鎖システムを更に有する。この閉鎖システムは、使用時に、閉鎖システムの閉鎖に際して、スリーブが使用者の身体部分（例えば手足、胴体、首又は頭）の周囲に拘束されて締め付けられるように構成され、スリーブに対して配置される。スリーブ及び閉鎖システムは、使用時に、閉鎖システムの閉鎖に際して、スリーブの２つの側縁部同士が互いに引き寄せられるが重なり合わないように構成及び配置されることが望ましい。
【００２９】
解放可能な閉鎖システムはジッパーを有してもよく、例えば、スリーブの第１の側縁部にこのようなジッパーの半分を設け、第２の側縁部にこのジッパーの相補的な半分を設けることができる。本明細書で使用するところの「ジッパー」なる語は、スライダーの使用によって互いに噛み合わせるか又は互いから分離することで、閉じた又は開いたジッパーチェーンをそれぞれ形成することができる噛合機構を含む（例えばオス及び／又はメス）歯又は他の要素がそれぞれに設けられた、２つのジッパーテープの半分からなる機械的閉鎖装置を含む。無歯ジッパーの１つの例としては、二重溝が形成された２本のポリマー軌道を相互に噛合させるスライダーを有する、ゴア社（GORE）よりＬＯＣＫＯＵＴの商品名で販売される閉鎖システムが挙げられる。
【００３０】
解放可能な閉鎖システムは、スリーブの長手方向に沿って個別の締め付けを可能とするものであることが望ましい。このようなシステムの例としては、スリーブの２つの側部領域の外側表面に設けられた複数の対向したひもガイドと、対向したガイド間を往復して延びるひもとを含む閉鎖システムを挙げることができる。このような閉鎖システムは、ひもに張力を作用させることによって、対向したガイド同士を互いに近づく方向に進めるように構成された少なくとも１つの回転可能な締め付け機構を更に有し得る。詳細には、少なくとも１つの回転可能な締め付け機構は、少なくとも１つのガイドと一体に形成することができる。一般的にこうしたリール式レーシングシステムでは、ひもは自由端を有しない。このような解放可能な閉鎖システムの他の例としては、機械的締結閉鎖システムを挙げることができる。
【００３１】
例えば、第１の側部領域又は第２の側部領域又は両方の領域に、近位端部及び遠位端部をそれぞれが有する複数のタブが設けられてもよく、前記近位端部がスリーブの第１の側縁領域及び／又は第２の側縁領域にそれぞれ解放可能又は固定的に取り付けられ、タブはそれぞれ第１の側縁部及び／又は第２の側縁部を横切って、スリーブのほぼ横断方向に、その遠位端部がスリーブの中央部分から遠くに位置するようにして延びる。ここで、タブの遠位端部における各タブの内側主表面（すなわち着用者に面したタブの表面）が、機械的締結システム（例えばフック、ステム、及び／又はカップ形状の締結要素）の一部を含んでもよい。各タブと対向する、第２及び／又は第１の側縁領域のそれぞれの少なくとも外側表面が、機械的締結システムの相補的部分を含むことができる（例えば前記外側表面が、前記締結要素によって係合されるように適合された構造を有するか又はこうした構造が設けられてもよい）。このようなタブは、少なくとも６ｃｍのスリーブの横断方向に対する幅を有し得る。このようなタブは、最大で２５ｃｍのスリーブの横断方向に対する幅を有し得るこのようなタブは、少なくとも１ｃｍ、具体的には少なくとも２ｃｍ、より具体的には少なくとも３ｃｍのスリーブの横断方向に対する高さを有し得る。このようなタブは、最大で１０ｃｍ、具体的には最大で８ｃｍ、より具体的には最大で６ｃｍのスリーブの横断方向に対する高さを有し得る。
【００３２】
上記に述べたように、このようなタブの近位端は、スリーブの第１の側部領域及び／又は第２の側部領域のそれぞれに固定的又は解放可能に取り付けることができる。このようなタブが解放可能に取り付けられる場合、タブの近位端部の内側主表面に、フック、ステム及び／又はカップ形状の締結要素（第２のタブ締結要素）が設けられてもよく、スリーブの第１の側縁領域及び／又は第２の側縁領域の外側表面が前記第２のタブ締結要素により係合されるように適合された構造を有するか又はこうした構造が設けられてもよい。したがって、これにより締結タブの近位端部の内側主表面を、スリーブの第１の側縁領域及び／又は側縁領域の外側表面のそれぞれに解放可能に取り付けることができる。第２のタブ締結要素は、第１のタブ締結要素と同じものであっても異なるものであってもよい。第２の締結要素と第１の締結要素とが異なるものである場合、スリーブの第１の側縁領域及び第２の側縁領域における外側表面は、第１の締結要素及び第２の締結要素の両方により係合されるように適合された構造を有するか又はこうした構造が設けられることが好ましい。
【００３３】
解放可能な閉鎖システムの別の例は、機械的締結閉鎖システムを含み、スリーブの長手方向に沿って個別の締め付けを可能とするものであることが好ましく、締結タブをリング又はアイレットとともに含むシステムが含まれる。例えば、スリーブの第２の側縁領域に、スリーブの上縁部と下縁部との間に連続して複数のアイレット又は複数のリングを設けることができる。ここで、装置は、更に、複数のストリップ形状の機械的締結タブを有してもよく、適用可能な場合、それぞれのアイレット又はリングに対して、１個の締結タブが設けられ、各締結タブは、内側タブ部分によって連結された近位端部と遠位端部とを有し、適用可能な場合、前記締結タブが、アイレット又はリングに対向して位置するとともに、その遠位端部がスリーブの中央部分から遠くに位置するようにしてスリーブのほぼ横断方向に延びるように、前記近位端部が、スリーブの第１の側縁領域に解放可能又は固定的に取り付けられ、締結タブの遠位端部の外側主表面が、機械的締結システムの一部を含み、締結タブの近位端部の前記外側主表面が、機械的締結システムの相補的部分を含む。適用可能な場合、このような締結タブ及びアイレット又はリングは、適用可能な場合、使用時に、タブがアイレット又はリングに通され、次いでそれ自体の上に折り返されることにより、適用可能な場合、スリーブの第１の側縁部がアイレット又はリングの方向に引かれ、次いでスリーブが使用者の身体部分（例えば手足、胴体、首又は頭）の周囲に締め付けられて拘束されるように締結されるように、構成及び配置される。図１及び２に示される代表的な実施形態、並びに本明細書で検討される他の代表的な実施形態は、このような解放可能な閉鎖システムを含んでいる。
【００３４】
図１及び２の代表的な実施形態に戻ると、スリーブ（１）の第２の側縁領域（１５）には、複数のリング（１６）がスリーブの上縁部と下縁部との間に連続して設けられている（見やすくするために１個のリングのみに参照符合を付してある）ことが分かる。各リングは、この特定の代表的な実施形態では、横断方向に延びるストラップ（１７）によってスリーブに固定的に取り付けられている。リングストラップはスリーブに直接取り付けるか、又は中間の連結要素を介してスリーブに取り付けることができる。この特定の代表的な実施形態では、ストラップは、スリーブ、具体的には第２の側部領域のスリーブの外側表面（３）に直接取り付けられた、中間の細長い城壁状要素（１７ａ）に連結されている。この代表的な実施形態では、リングとストラップとは固定的に取り付けられているが、代替的な実施形態では、これらは解放可能に取り付けられてもよいことは認識されるであろう。代表的な圧迫装置（１００）は、複数のストリップ形状の機械的締結タブ（２）を更に有している（この場合も、やはり見やすくするために１個の締結タブのみに符合を付している）。各リング（１６）に対して１個のタブが設けられている。各タブは、内側タブ部分（２３）によって連結された近位端部（２２）及び遠位端部（２４）を有している。この代表的な実施形態では、近位端部（２２）は、例えば接着剤、ボンディング、又は縫い合わせによってスリーブ（１）の第１の側縁領域（１３）に取り付けられている。近位端部はまた、スリーブの第１の側縁領域に解放可能に取り付けることもできる（例えば本明細書に述べられる他の代表的実施形態に示されるように）。締結タブ（２）は、１個のリングに対向して１個のタブが位置し、各タブが、その遠位端部（２４）がスリーブの中央部分から遠くに位置するようにしてスリーブのほぼ横断方向に延びるように、スリーブに取り付けられている。図２より、各タブは、スリーブの外側表面（３）に向かって位置する第１の主表面（すなわち内側主表面（３４））と、スリーブの外側表面から離れて位置する第２の主表面（すなわち外側主表面（３３））とを有していることが分かる。タブの遠位端部（２４）の外側主表面（３３）は、機械的締結システムの一部（２５）を含み、タブの近位端部の第２の主表面は、機械的締結システムの相補的部分（２６）を含んでいる。図１及び２に示されるこの代表的な実施形態及び本明細書に述べられる他の代表的な実施形態に見られるように、締結タブの内側タブ部分の第２の主表面もまた、機械的締結システムの相補的部分（２６）を含むことができる。
【００３５】
使用者の下腿に使用されている図１及び２に示される代表的な圧迫装置（１００）の正面斜視図を示した図３ａを参照すると、締結タブ（２）及びリング（１６）は、使用時、締結タブがリングに通され、それ自体の上に折り返されることにより、スリーブ（１）の第１の側縁部（９）がリングの方向に引かれ、スリーブが使用者の手足の周囲に締め付けられて拘束されるよう最終的に締結されるように、構成及び配置されていることが認識される。圧迫装置（１００）は、使用者の手足に配置されると手足の関連する部分を効果的に包囲し、この例示的な実施形態では、スリーブ（１）、特にスリーブの中央領域（１４）が手足の大部分を包囲する。
【００３６】
一般的に、このような締結タブ（すなわち締結時にそれ自体の上に折り返される締結タブ）は、締結タブの遠位端部の第２の主表面に、フック、ステム及び／又はカップ形状の締結要素（第１のタブ締結要素）が設けられ、締結タブの近位端部の第２の主表面が、前記第１のタブ締結要素によって係合されるように適合された構造を有するか又はこうした構造が設けられるように、好ましくは構成される。締結タブの内側部分の第２の主表面もまた、第１のタブ締結要素により係合されるように適合された構造を有するか又はこうした構造が設けられてもよい。好ましくは、このような締結タブは、締結タブが第１の側縁部を横切って延びるように、具体的には締結タブが前記側縁部を外側に少なくとも２ｃｍ超えて延びるように取り付けられる。
【００３７】
適用可能な場合、複数のアイレット又はリングを有する実施形態では、アイレット又はリング間の間隙は、上縁部から下縁部までのスリーブの高さの少なくとも７０％に相当する高さにわたってそれぞれ延びることが好ましい。適用可能な場合、アイレットとリングとの間の間隙の高さは、０．１ｍｍ以上〜７ｃｍ以下、具体的には０．３ｍｍ以上〜３ｃｍ以下、より具体的には０．５ｍｍ〜２ｃｍの範囲であり得る。
【００３８】
図１及び２に示される代表的な実施形態及び本明細書に述べられる他の代表的な実施形態より認識されるように、適用可能な場合、装置の適用及び全体の滑らかな適合を促すため、アイレット及びリングは、アイレット又はリングの開口部が、締結タブのスリーブの横断方向に対する高さよりも大きいスリーブの横断方向に対する高さを有するように、構成及び／又は選択されることが好ましい。更にリング及びストラップを有するこれらの実施形態では、リングは、リングの開口部が、ストラップのスリーブの横断方向に対する高さよりも大きなスリーブの横断方向に対する高さを有するように、構成及び／又は選択されることが好ましい。これに加えるか又はこれに代えて、適用可能な場合、アイレット及びリングは、長方形若しくはほぼ長方形の形状、又は卵形若しくはほぼ卵形の形状（例えば、細い又は細長い卵形、カヌー形、細長い涙滴形）、又は細長い若しくは細いＤ字形を有することが望ましい。各リングは、スリーブの（第１又は第２の）側縁部に沿って、前記縁部に隣接するか又は前記縁部から離間して、かつ（第１又は第２の）側縁部分から遠くに配置されることが好ましく、具体的には、各リングがスリーブの（第１又は第２の）側縁部の近くに側縁部を有する場合、リングの前記側縁部が、スリーブの（第１又は第２の）側縁部に隣接して配置されるか又は（第１又は第２の）第２の側縁部から最大で４ｃｍ、具体的には最大で３ｃｍの距離だけ離間して配置される。
【００３９】
締結タブは、少なくとも１ｃｍ、より好ましくは少なくとも２ｃｍ、より望ましくは少なくとも３ｃｍのスリーブの横断方向に対する高さを有することが望ましい。締結タブは、最大で１０ｃｍ、より望ましくは最大で８ｃｍ、最も望ましくは最大で６ｃｍのスリーブの横断方向に対する高さを有することが望ましい。締結タブは、少なくとも６ｃｍのスリーブの横断方向に対する幅を有することが望ましい。締結タブは、最大で２５ｃｍのスリーブの横断方向に対する幅を有することが望ましい。
【００４０】
ストラップは、少なくとも１ｃｍ、より望ましくは少なくとも２ｃｍ、最も望ましくは少なくとも３ｃｍのスリーブの横断方向に対する高さを有することが望ましい。スリーブは、最大で１０ｃｍ、より好ましくは最大で８ｃｍ、最も好ましくは最大で６ｃｍのスリーブの横断方向に対する高さを有することが望ましい。ストラップ間の間隙の高さは、０．３ｍｍ以上〜７ｃｍ以下、具体的には０．３ｍｍ以上〜３ｃｍ以下、より具体的には０．５ｍｍ〜２ｃｍの範囲であり得る。
【００４１】
図１〜３ａに示される代表的な実施形態より認識されるように、適用可能な場合、スリーブ、アイレット又はリング、及び締結タブを、適用可能な場合、使用時に締結タブがアイレット又はリングに通され、それ自体の上に折り返される場合に、第１の側縁部がスリーブの第２の側縁部に向かって引かれるが、スリーブの２つの側縁部が重なり合わないように構成及び配置することが望ましい場合がある。また、図１〜３ａに示される代表的な実施形態より認識されるように、圧迫装置は、舌部を更に有してもよい。舌部は、使用時に舌部がスリーブの第１及び第２の側縁部に隣接して概ね中心に配置され、かつスリーブの第１及び第２の側縁部に沿って延びるようにスリーブに対して構成及び配置されることが望ましく、これにより、舌部は、使用者と、スリーブの第１の側縁部と第２の側縁部との間に画定される開口部との間に位置し、かつ各第１及び第２の側縁領域の少なくとも一部（通常は第１及び第２の側縁部に隣接した部分）の下に位置することになる。
【００４２】
舌部を有する圧迫装置では、舌部は、発泡材、具体的には形状記憶発泡材、より具体的には高密度形状記憶発泡材を含み得る。高密度形状記憶発泡材は、少なくとも６５ｋｇ／ｍ３、より具体的には７０ｋｇ／ｍ３、より具体的には少なくとも８５ｋｇ／ｍ３、最も具体的には少なくとも１０５ｋｇ／ｍ３の密度を有する形状記憶発泡材である。適当な形状記憶発泡材の例としては、フィルトローナ・ポーラス・テクノロジーズ社（Filtrona Porous Technologies）より、ＳＲＦ  ＥＰ２、Ａｒｇｕｓ、Ａｒｇｕｓ  Ｓｏｆｔ、及びＡｒｇｕｓ  Ｓｕｐｅｒｓｏｆｔの商品名で販売される高密度形状記憶発泡材が挙げられる。好ましくは、舌部は、１つ以上の発泡材の層、具体的には厚さ０．５ｍｍ以上〜１０ｍｍ以下の発泡材の層、より具体的には厚さ２ｍｍ以上〜６ｍｍ以下の発泡材の層を含むことが好ましい。これに代えるか又はこれに加えて、舌部は、例えば細長いワイア、バー、グリッド、又はパッドの形の補強材を好ましくは含み得る。舌部は、その幅及び長さにほぼわたって延びる単一の補強材、又は舌部の幅にわたって連続的に設けられた、縦に延びる１個以上の補強材を含み得る。
【００４３】
圧迫装置、具体的にはスリーブ、より具体的にはその第１及び／又は第２の側部領域にも、スリーブ形状の維持を助けるための、具体的には、スリーブが縦方向に潰れたり又は滑り落ちたりする可能性を最小限に抑えるための１個以上の補強材が設けられてよく、このような補強材は、スリーブの横断方向に対して限定された幅を有する、例えばワイア、バー、グリッド、又はパッドの形で設けることができる。図１及び２に示される代表的な実施形態では、例えば、スリーブの上縁部と下縁部との間に縦に延びる細長い補強材（３２）が、第２の側部領域（１５）に第２の側縁部（１０）に隣接して設けられている。
【００４４】
補強材は、熱成形可能な熱可塑性材料（ポリプロピレン、ポリアミド、ポリエステルなど（例えば３Ｍ  Ｓｃｏｔｃｈｃａｓｔ熱可塑性材料７２３６２））などの、例えば金属又は熱可塑性材料で形成することができる。５ｍｍ超の幅を有する補強材では、通気性を与えるためにミシン目を好ましくは設けることができる。意匠及び／又は固定の目的で、補強材は、場合によって、スリーブ又は舌部の適当な部分に後で取り付けられる布地ポケットの中に設けられてもよく、又は補強材は、適用可能な場合、スリーブ又は舌部の適当な部分の表面に配置してから、適用可能な場合、スリーブ又は舌部のそれぞれの部分に縫い付けられるか又は貼り合わされる布地のシートで完全に覆ってもよい。
【００４５】
図１及び２に示される代表的な実施形態に戻ると、スリーブの上縁部と下縁部との間に縦に延びる細長い補強材（３２）が、第２の側部領域（１５）に第２の側縁部（１０）に隣接して設けられていることが分かる。補強材は、布地（３２ａ）で覆われている。代表的な圧迫装置（１００）は、舌部（５）を有していることも分かる。舌部、具体的にはその側縁部分は、舌部が第２の側縁部（１０）を超えて延びてリング（１６）の下に位置するように、スリーブの第２の側縁領域（１５）の内側表面（４）に取り付けられている。図３ａを参照すると、代表的な圧迫装置（１００）のスリーブ（１）及び締結タブ（２）が、使用時、適用可能な場合、締結タブがアイレット又はリングに通され、それ自体の上に折り返されて締結される場合に、第１の側縁部（９）がスリーブの第２の側縁部（１０）に向かって引かれるが、スリーブの２つの側縁部が重なり合わないように構成及び配置されていることが認識される。更に、図３ａでは、圧迫装置（１００）が使用者の身体部分（この場合、手足）に使用されている場合、舌部（５）は、スリーブ（１）の第１及び第２の側縁部（９、１０）に隣接して概ね中心に配置され、かつ第１及び第２の側縁部（９、１０）に沿って延びることにより、舌部が、使用者とスリーブの第１の側縁部と第２の側縁部との間に画定される開口部との間に位置し、第１及び第２の側縁領域の少なくとも一部の下に位置していることが分かる。また、図３ａでは、代表的な圧迫装置（１００）が使用者の手足に使用されている場合、スリーブが中心軸（Ａ）を中心として配置され、複数のリングが第２の軸（Ｒ）に沿って延在していることが認識される。図３ｂを参照すると、中心軸（Ａ）を含む平面（Ｐ）上への第２の軸（Ｒ）の投射に関して、第２の軸（Ｒ）が中心軸に対して平行又はほぼ平行に整列していることが分かる。
【００４６】
複数のリング又はアイレットを有するこれらの実施形態では、スリーブは、使用者の身体部分（例えば手足、胴体、首又は頭）に使用される際、平面（Ｐ）内にある中心軸（Ａ）を中心として配置され、複数のリング又はアイレットが第２の軸（Ｒ）に沿って延び、その場合、中心軸（Ａ）を含む前記平面（Ｐ）上への第２の軸（Ｒ）の投射に関して、第２の軸が中心軸に対して平行に整列するか又は中心軸に対してほぼ平行に整列する（すなわち、第２の軸（Ｒ）は中心軸に対して５°以下の鋭角をなして傾斜していてもよい）。圧迫装置が使用者の身体部分に使用される際、一連のリング又はアイレットは、完全に真っ直ぐな軸に沿って延在せずともよい（すなわち、その投射は、張力、及び使用者の関連する身体部分の特定の幾何形状のために湾曲している場合があり、その場合、一連のリングがそれに沿って延在する関連する軸は、投射された曲線に対する最良の直線当てはめ（線形回帰）から得られる軸として定義することができる点は認識されるべきである）。
【００４７】
図３ａから認識されるように、使用者の下腿への使用に適した圧迫装置では、スリーブは、使用時にリング（又はアイレットを有する実施形態ではアイレット）が、前方に向かって、具体的には脛骨に概ね沿って延在するように概ね配置されるように、構成及び配置されることが好ましい。したがって、このような実施形態では、スリーブの中央領域は、下腿の背面の周囲及び少なくともその側面の１つに接して、したがってふくらはぎの筋肉に隣接して一般的に配置されることになる。
【００４８】
本明細書に述べられる圧迫装置は、手足に圧迫を加えるうえで特に有用である。スリーブは、手足の少なくとも１つの主要な筋肉を覆って延びるように、手足を覆うように構成及び配置されることが望ましい。例えば、脚（例えば下腿及び／又は上腿）に使用されるように設計された圧迫装置では、前記少なくとも主要な筋肉は、以下のもの、すなわち、前脛骨筋、ヒラメ筋、腓腹筋、大腿二頭筋、大腿直筋、内側広筋、中間広筋、及び外側広筋から適宜選択することができるのに対して、腕（例えば下腕及び／又は上腕）に使用されるように設計された圧迫装置では、前記少なくとも主要な筋肉は、以下のもの、すなわち、橈側手根屈筋、尺側手根屈筋、長掌筋、腕橈骨筋、上腕二頭筋、上腕三頭筋、及び上腕筋から適宜選択することができる。上記で述べたように、一般的には主要筋の組み合わせが覆われることになる。
【００４９】
本明細書に述べられる圧迫装置、具体的にはそのスリーブは、身体部分のサイズの差（例えば胴体若しくは首若しくは頭に対する手足、又は例えば手足のみに関して脚に対する腕）及び特定の身体部分のサイズの一般的な差に適応するように、異なる大きさで提供することができる。首及び頭への使用に適した圧迫装置はしばしば両方に対して使用され、すなわち使用者の首及び頭の両方の一部を覆うように構成される。このような装置は、例えば、首、おとがいを覆い、顔は覆わずに頭に被せられるフードのように構成することができるが、その場合、解放可能な閉鎖システムは、頭の頂部及び後頭部に沿って、又は前頭部からおとがい及び首の前面に沿って設けられる。
【００５０】
本明細書に述べられる圧迫装置は、手足、具体的にはふくらはぎを含む下腿への使用に（例えば、特に下肢静脈瘤及び脚のリンパ浮腫の治療に）特に適している。後者に関しては、例えば、リンパ浮腫に罹患した患者を含む成人の下腿のサイズが、足首における外周で約１３０〜４２０ｍｍ、最も幅の広い点における外周で約２８０〜６５０ｍｍの範囲であり得ることを考慮すると、圧迫装置を、潜在的使用者の関連し得る外周サイズの８０％を覆うことを意図した例えば７つの標準（幅）サイズ（例えばＸＳ、Ｓ、Ｍ、Ｌ、ＸＬ、ＸＸＬ、ＸＸＸＬ）で提供し、残りの２０％は特別注文によって提供することができる。更に、成人の下腿の長さが約２０ｃｍ〜４０ｃｍの範囲であり得ることを考慮すると、上記に述べた標準（幅）サイズと併せて、やはり潜在的使用者の関連し得る長さの８０％を覆うことを意図した３つの高さサイズ（例えば低い、平均、高い）を提供することも可能である。標準幅サイズに関し、潜在的使用者の関連し得る外周サイズの８０％を覆うための標準サイズの数は、例えば、使用者、又は使用者の手足に圧迫装置を適用する介護者がスリーブの幅を容易に調節することができるように構成された圧迫装置を提供することによって減らすことができる。詳細には、本明細書に述べられるように締結タブをスリーブの第１の側縁領域に解放可能に取付け可能であり、スリーブの第１の側縁領域がトリミング可能であるように構成された、圧迫装置を提供することが有利である。図４〜１２に示され、より詳細に検討する代表的な実施形態は、そのような圧迫装置の例を与えるものである。
【００５１】
図２より分かる点として、スリーブの３つの領域（１３、１４、及び１５）は同じ材料を含む。この材料が主材料である。更に、第２の側部領域（１５）においてスリーブに補強材（３２）、リング／ストラップ（１７）、及び舌部（５）が取付けられ、第１の側部領域（１３）において締結タブ（２）が取付けられることにより、これら２つの領域において下に位置する主材料（３０）の性質は通常影響される点は認識されるべきである。更に、一般的に、第１及び／又は第２の側部領域の１０Ｎ／ｃｍの荷重下での横断方向の最大伸長率は、スリーブの中央領域の１０Ｎ／ｃｍの荷重下での横断方向への最大伸長率よりも低くなる（多くの場合、大幅に低く、伸長率０％に近づき、場合により０％に達する）。最後に、このように取り付けられた部材がないスリーブの中央領域では、主材料の性質は影響されない点も認識されるであろう。
【００５２】
上記に述べたように、スリーブの少なくとも中央領域は、スリーブの少なくとも横断方向の弾性として、前記横断方向における１０Ｎ／ｃｍ幅の荷重下で５％〜最大３０％以下の最大伸長率、かつ、伸長率２０％〜伸長率２５％の横断方向の張力の差分商が０．６Ｎ／ｃｍ幅／伸長率（％）以上である材料を含む。
【００５３】
一実施形態では、伸長率２０％〜伸長率２５％における横断方向の張力の差分商は、０．８Ｎ／ｃｍ幅／伸長率（％）以上、一実施形態では、１．０Ｎ／ｃｍ幅／伸長率（％）以上、一実施形態では、１．２Ｎ／ｃｍ幅／伸長率（％）以上、一実施形態では、１．４Ｎ／ｃｍ幅／伸長率（％）以上である。一実施形態では、伸長率２０％〜伸長率２５％における横断方向の張力の差分商は、１２Ｎ／ｃｍ幅／伸長率（％）以下、一実施形態では、１０Ｎ／ｃｍ幅／伸長率（％）以下、一実施形態では、８Ｎ／ｃｍ幅／伸長率（％）以下、最も好ましくは、６Ｎ／ｃｍ幅／伸長率（％）以下である。
【００５４】
一実施形態では、主材料は、前記横断方向の最大伸長率が、１０Ｎ／ｃｍ幅の荷重下で６％以上、一実施形態では、１０Ｎ／ｃｍ幅の荷重下で７％以上である。一実施形態では、主材料は、前記横断方向の最大伸長率が、１０Ｎ／ｃｍ幅の荷重下で２７％以下、一実施形態では、１０Ｎ／ｃｍ幅の荷重下で２５％以下、一実施形態では、１０Ｎ／ｃｍ幅の荷重下で２３％以下である。
【００５５】
上記に述べたように、例えばより低い仰臥位（安静姿勢の）圧力によって快適性を高めるには、主材料の伸長率１５％〜伸長率２０％における横断方向の張力の差分商は、伸長率２０％〜伸長率２５％における横断方向の張力の差分商よりも浅いことが望ましい。一実施形態では、伸長率１５％〜伸長率２０％における横断方向の張力の差分商は、伸長率２０％〜伸長率２５％における横断方向の張力の差分商の７０％以下であり、一実施形態では、伸長率２０％〜伸長率２５％における横断方向の張力の差分商の５５％以下であり、一実施形態では、伸長率２０％〜伸長率２５％における横断方向の張力の差分商の４５％以下であり、一実施形態では、伸長率２０％〜伸長率２５％における横断方向の張力の差分商の３５％以下である。
【００５６】
一実施形態では、主材料の伸長率２５％〜伸長率３０％における横断方向の張力の差分商は、１．２Ｎ／ｃｍ幅／伸長率（％）以上であり、一実施形態では、１．８Ｎ／ｃｍ幅／伸長率（％）以上であり、一実施形態では、２．４Ｎ／ｃｍ幅／伸長率（％）以上であり、一実施形態では、３．０Ｎ／ｃｍ幅／伸長率（％）以上である。一実施形態では、主材料の伸長率２５％〜伸長率３０％における横断方向の張力の差分商は、２４Ｎ／ｃｍ幅／伸長率（％）以下であり、一実施形態では、２０Ｎ／ｃｍ幅／伸長率（％）以下であり、一実施形態では、１６Ｎ／ｃｍ幅／伸長率（％）以下であり、一実施形態では、１２Ｎ／ｃｍ幅／伸長率（％）以下である。
【００５７】
主材料は、一実施形態では、伸長率３０％で、又は１分間の保持後に伸長率３０％で、１０Ｎ／ｃｍ幅以上、一実施形態では１５Ｎ／ｃｍ幅以上、一実施形態では２０Ｎ／ｃｍ幅以上、一実施形態では２５Ｎ／ｃｍ幅以上の横断方向の張力を示す。一実施形態では、主材料は、伸長率３０％で、又は１分間の保持後に伸長率３０％で、５５Ｎ／ｃｍ幅以下、一実施形態では５０Ｎ／ｃｍ幅以下、一実施形態では４５Ｎ／ｃｍ幅以下、最も好ましくは４０Ｎ／ｃｍ幅以下の横断方向の張力を示す。
【００５８】
主材料の横断方向の回復伸長率は、８０％以上、具体的には８５％以上、より具体的には９０％以上、最も具体的には９５％以上であることが望ましい。
【００５９】
圧迫装置の疲労の最小化及び／又は回避を促すため、主材料は一実施形態では、３．５％以下の横断方向の伸長率の上昇を示す。
【００６０】
主材料は、スリーブの身体部分（例えば手足、胴体、首又は頭）の関連する部分への適用及び大まかな適合を促すために比較的柔軟であることが望ましい。一実施形態では、主材料は、２０ｃｍ以下、具体的には１５ｃｍ以下、一実施形態では１０ｃｍ以下、一実施形態では５．０ｃｍ以下の横断方向及び／又は長手方向の曲げ長さを示す。これに代えるか又はこれに加えて、一実施形態では、主材料は、１５０ｍＮ・ｃｍ以下、一実施形態では１２５ｍＮ・ｃｍ以下、一実施形態では７５ｍＮ・ｃｍ以下、一実施形態では３５ｍＮ・ｃｍ以下の横断方向及び／又は長手方向の曲げ剛性を示す。
【００６１】
上記に述べたように、圧迫装置、特にそのスリーブの望ましい外形の適合を促進するため、主材料は、スリーブの長手方向に弾性を有することが望ましい。一実施形態では、主材料は、長手方向に簡単に引き伸ばすことができるような異方性の弾性特性を示す。一実施形態では、主材料は、伸長率３０％（又は１分間の保持後の伸長率３０％）における長手方向の張力に対する伸長率３０％（又は１分間の保持後の伸長率３０％）における横断方向の張力の比が、１．８超であり、一実施形態では２．０以上であり、一実施形態では２．２以上である。
【００６２】
一実施形態では、主材料の内側表面から外側表面への水蒸気透過率は、２０００ｇ／（ｍ２・２４時間）以上であり、一実施形態では、２２００ｇ／（ｍ２・２４時間）である。
【００６３】
一実施形態では、主材料は、繊維性の布地、具体的には織布又は編布、一実施形態ではスペーサー編布を含む。スペーサー編布は、スペーサー糸（中間結合層としての）によって互いに接合された２つの編まれた基材（例えば上層及び下層）を有する３次元的編布である。一実施形態では、このような布地、具体的にはスペーサー編布の坪量は、１００ｇ／ｍ２以上であり、一実施形態では、１５０ｇ／ｍ２以上であり、一実施形態では２００ｇ／ｍ２以上であり、一実施形態では２５０ｇ／ｍ２以上である。これに加えるか又はこれに代えて、このような布地、具体的にはスペーサー編布の厚さは、０．５ｍｍ以上であり、一実施形態では１．０ｍｍ以上であり、一実施形態では１．４ｍｍ以上であり、一実施形態では１．８ｍｍ以上である。これに加えるか又はこれに代えて、このような布地、具体的にはスペーサー編布の厚さは、６．０ｍｍ以下であり、一実施形態では５．２ｍｍ以下であり、一実施形態では４．４ｍｍ以下であり、一実施形態では３．６ｍｍ以下である。皮膚の圧痕の形成及び／又は皮膚刺激の可能性を最小化又は防止するため、一実施形態では、布地、具体的にはスペーサー編布は、皮膚に面する布地の面に大きな開口パターンを有しず、一実施形態では、少なくとも１方向（例えば縦方向又は横方向）で、開口部の幅は３ｍｍ以下である。他の方向（例えばそれぞれ横方向又は縦方向）で、幅は、３ｍｍ以下、又は３ｍｍ超である。経編されたスペーサー布地が適当であることが示されている。経編されたスペーサー布地は、一般的に、２個のニードルバーを有するリブラッシェル編機で編まれる。適当な経編スペーサー布地の例としては、ゲーリング・テキスタイルズ社（Gehring Textiles Inc.）（米国、ニューヨーク州ガーデンシティー、１１５３０）よりＳＨＲ  ７００／３  Ｄ３  Ｄ／０  ７２０８８１０の商品名で販売されるスペーサー布地、及びミュラー・テキスタイル社（Mｕller Textil）（ドイツ、ヴィール、５１６７４）より３  Ｍｅｓｈ  ５９９２の商品名で販売されるスペーサー布地が挙げられる。
【００６４】
圧迫装置は、中央領域の面積がスリーブの全面積の少なくとも４０％（具体的には少なくとも４５％、より具体的には少なくとも５０％）であるように構成及び配置することができる（装置の非使用時）。これに加えるか又はこれに代えて、圧迫装置は、下縁部から上縁部までのスリーブの高さの２／３に相当する高さにおいて、スリーブの中央領域が、スリーブの横断方向にスリーブを横切って４０％以上延びるように構成及び配置することができる（装置の非使用時）。
【００６５】
一実施形態では、スリーブの中央領域の全面積の少なくとも８５％（具体的には少なくとも９０％、より具体的には少なくとも９５％）が、前記主材料で形成される（装置の非使用時）。
【００６６】
第１及び第２の側部領域が、主材料の対応する性質を有する、中央領域と同じ材料を含む場合、解放可能な閉鎖システムのそれぞれの部材が設けられること、一般的には、必要に応じて用いられる舌部及び／又は補強材が取り付けられることによって、それぞれの領域は主材料の対応する性質を有しなくなる。上記に述べたように、一般的に、スリーブの第１及び／又は第２の側部領域の１０Ｎ／ｃｍの荷重下での横断方向の最大伸長率は、スリーブの中央領域の１０Ｎ／ｃｍの荷重下での横断方向への最大伸長率よりも低くなる（多くの場合、大幅に低く、伸長率０％に近づき、場合により０％に達する）。第１及び第２の側部領域が主材料ではなく、別の（１乃至複数の）材料を含む場合、第１及び／又は第２の側部領域に設けられた解放可能な閉鎖システムの要素及び／又は他の要素を含む装置全体に関して、第１及び第２の側部領域は中央領域よりも横断方向により大きく引き伸ばせないことが望ましい。更に、一実施形態では、第１の側部領域及び第２の側部領域の１０Ｎ／ｃｍの荷重下での横断方向の最大伸長率は、スリーブの中央領域の１０Ｎ／ｃｍの荷重下での横断方向の最大伸長率以下である。第１の側部領域及び／又は第２の側部領域の１０Ｎ／ｃｍの荷重下での横断方向の最大伸長率は０％まで低くなり得る点は認識されるであろう。これに加えるか又はこれに代えて、第１の側部領域及び第２の側部領域の１０Ｎ／ｃｍの荷重下での長手方向の最大伸長率は、スリーブの中央領域の１０Ｎ／ｃｍの荷重下での長手方向の最大伸長率以下である。同様に、第１の側部領域及び／又は第２の側部領域の１０Ｎ／ｃｍの荷重下での長手方向の最大伸長率も０％まで低くなり得る点は認識されるであろう。
【００６７】
図４は、使用者の身体部分、具体的には手足に圧迫を加えるために使用される圧迫装置（１００）の別の代表的な実施形態の外側の平面図を示し、図５はこの代表的な実施形態の断面図を示す。この装置は、使用者の身体部分、具体的には手足の一部を実質的に覆うためのスリーブ（１）であって、外側表面（３）、内側表面（４）、上縁部（７）及び下縁部（８）、並びに、上縁部から下縁部にまで延びる２つの側縁部（９、１０）を含む、スリーブ（１）を有し、そのスリーブは、第１の側縁部（９）から第２の側縁部（１０）にかけての横断方向に、第１の側部領域（１３）、中央領域（１４）、及び第２の側部領域（１５）を有する。スリーブの第２の側部領域には、スリーブの上縁部と下縁部との間に連続して複数のリング（１６）が設けられている。各リングは、リングとスリーブとの間、具体的にはリングと第２の側部領域との間でスリーブのほぼ横断方向に延びるストラップ（１７）によって取り付けられている（この特定の実施形態では、固定的に取り付けられている）。図４の断面図を参照すると、ストラップ（１７）は、スリーブ（１）の第２の側部領域（１５）に、具体的には第２の側部領域のスリーブの外側表面（３）に取り付けられていることが分かる。スリーブの上縁部と下縁部との間に縦に延びる細長い補強材（３２）が、ストラップの近位端、すなわち第２の側縁部（１０）に隣接する第２の側部領域（１５）に設けられている。この代表的な実施形態は、その側縁部の一方において第２の側縁領域（１５）のスリーブの内側表面（４）に取り付けられた舌部（５）を有している。図５を参照すると、舌部は、内側の発泡材層（６）と外側の布地カバー（２６）との間に位置する２個の細長い補強材（３２）を有している。代表的な圧迫装置は更に、複数のストリップ状の機械的締結タブ（２）を各リング（１６）について１本ずつ有している。
【００６８】
上記に述べたように、図４及び５の代表的な実施形態は、締結タブがスリーブの第１の側部領域（１３）の外側表面に解放可能に取り付けられている点で、図１〜３ａに示される代表的な実施形態と異なっている。更に、図４及び５に示される代表的な実施形態を参照すると、各締結タブ（２）の遠位端部（２４）の外側主表面（３３）には、フック、ステム及び／又はカップ形状の締結要素（２５）が設けられ、各締結タブの近位端部（２２）及び内側タブ部分（２３）の外側主表面は、前記タブ締結要素により係合されるように適合された構造を有するか又はこうした構造が設けられていることが分かる。更に、各締結タブ（２）の近位端部（２２）の内側主表面（３４）には、フック、ステム及び／又はカップ形状の締結要素（２７）が設けられ（これらの第２のタブ締結要素は第１のタブ締結要素（２５）と同じものでも異なるものでもよい）、スリーブ（１）の第１の側部領域（１３）の外側表面（３）は、第２のタブ締結要素（２７）により係合されるように適合された構造を有するか又はこうした構造が設けられている。図４から認識されるように、一般的に、第１の側部領域（１３）には、スリーブの関連する領域に適当な材料の層を貼り合わせることによって、関連する係合構造（２８）が設けられる。更に、第１の側部領域（１３）は、その外縁部に沿って容易にトリミングすることができる。圧迫装置、詳細にはそのスリーブの幅又は外周を短くすることが求められるか又は望ましい場合、締結タブを取り外し、適当な量の第１の側部領域をトリミングすることによって、必要な又は望ましい幅／外周を得ることができる。その後、締結タブを第１の側部領域の残りの部分に再び取り付けてから装置を適用することができる。一般的に、タブは、第１の側部領域にわたってタブが延びるように、具体的にはタブの遠位端部が第１の側縁部から外れるように、スリーブの外側表面に取り付けられる。
【００６９】
図５より、図１及び２に示される代表的な実施形態と同様、スリーブの３つの領域（１３、１４及び１５）は同じ材料（３０）、すなわち主材料を含むことが認識されるであろう。第１の代表的な実施形態と同様、第２の側部領域（１５）におけるスリーブへの補強材（３２）、リング／ストラップ（１７）、及び舌部（５）の取付けのため、この領域において下に位置する主材料の性質に、通常は影響が及ぼされる（すなわち、第２の側部領域におけるスリーブの１０Ｎ／ｃｍの荷重下での横断方向の最大伸長率（しばしば大幅に低く、０％に近い）は、中央領域におけるスリーブの１０Ｎ／ｃｍの荷重下での横断方向の最大伸長率よりも低くなる）。第１の側部領域（１３）の外側表面に締結要素係合材料（２８）が貼り合わされていることにより、この領域において下に位置する主材料の性質に影響が及ぼされ得る。更に、第１の側部領域の全体的性質は、締結要素係合材料の性質、したがって締結要素係合材料と主材料を含む、得られる積層体の性質に応じて決まることになる。一実施形態では、締結要素係合材料及び貼り合わせ方法は、主材料の性質が第１の側部領域の全体的性質を規定するように選択される。しかしながら、市販の締結要素係合材料の多くは非弾性であるか又はほぼ非弾性である。適用される締結要素係合材料が非弾性であるか、又は（それ自体非弾性ではなく）１０Ｎ／ｃｍの荷重下での最大伸長率が主材料よりも低いものである場合、第１の側部領域におけるスリーブの１０Ｎ／ｃｍの荷重下での横断方向の最大伸長率は、ゼロであるか、又は（ゼロではない場合）中央領域におけるスリーブの１０Ｎ／ｃｍの荷重下での横断方向の最大伸長率よりも低くなる点は認識されるであろう。
【００７０】
図４及び５の代表的な実施形態は、ストラップがループ指示機構を好ましく有している点でも、図１〜３ａに示される代表的な実施形態と異なっている。
【００７１】
リングとストラップを含む実施形態では、前記ストラップの少なくとも一部が少なくとも横断方向に伸展可能であることが好ましく、前記伸展可能な部分は、少なくとも横断方向に弾性を有する材料を含み、伸展可能な部分が非伸展状態にある場合には外側に隆起した材料のループが外面に形成され、使用時にスリーブの横断方向に張力がかかっている場合には伸展可能な部分が横断方向に伸展してループが平らに潰れるように、構成及び配置されている。その非伸展状態では外面に外側に隆起した材料のループを有し、使用時にスリーブの横断方向に張力がかかっている場合には横断方向に伸展してループが平らに潰れる（最終的に消失する）ようなこのような伸展可能な部分のことを、本明細書ではループ指示機構と呼ぶ。このようなループ指示機構は、伸展の大きさに対する視覚的な指示を与える有利なものであり、これにより、伸展の大きさの評価及び良好な解剖学的構造上の適合の提供を促すものである。更に、伸展可能なストラップ部分に伸展がないか、又は部分的にのみ伸展している場合、外側に面したループは完全に隆起するか又は部分的にのみ潰れているため、そのように目に見え、伸展可能なストラップ部分が完全に伸展している場合には、外側に面したループは消失する（すなわち、外側に隆起した材料のループがなくなるまで平らに潰れる）。このような視覚的指示は、ループが完全に平らに潰れていれば（したがって消失していれば）完全に伸展しており、これは充分な解剖学的構造上の適合を示すものであることから、適用時に有利である。更に、スリーブの上縁部と下縁部との間に連続して設けられる複数のリングのストラップに、又はスリーブの上縁部と下縁部との間にほぼ縦に延びる細長い伸展可能なガセットにこのようなループ指示機構を設けることにより、伸展の大きさに対する、したがって上縁部と下縁部との間のスリーブのそれぞれの高さにわたった適合に対する視覚的指標を与えることが可能であり、これにより、望ましい、かつ／又は必要な場合に、対向するリング又はアイレットに通される個々の締結タブの締め付けの程度を調節して、スリーブによって覆われる使用者の身体部分（例えば手足、胴体、首、頭）の部分に対する望ましい解剖学的構造上の適合性、したがって圧迫の均一性の提供を促すことができる。このようなループ指示機構は、使用者が圧迫装置を着用している間においても有用である。例えば、実際、望ましいこととして、身体部分（例えば手足、胴体、首又は頭）の体積が、例えば効果的な圧迫療法による浮腫の軽減の結果として減少する場合、装置に対する、また伸展可能なストラップ部分に対する張力の大きさを低減させると、それまで平らに潰れていたループが外側に著明なひだを形成し、低減された張力の大きさに応じて、完全に隆起した又は幾分平らに潰れたループを形成し、これにより、装置を締め付けなおすか又は再びつけなおす必要があるという指示が与えられる。
【００７２】
一実施形態では、ループ材料の弾性率にループ材料の厚さを乗じた積が、前記主材料の弾性率に主材料の厚さを乗じた積の少なくとも９０％であり、具体的には、ループ材料の弾性率にループ材料の厚さを乗じた積が、前記主材料の弾性率に主材料の厚さを乗じた積に等しいか又はそれよりも大きい。
【００７３】
図４及び５では、各ストラップ（１７）は、外面に外側に隆起したループ（２０）を有するように構成された伸展可能な部分（２１）を有していることが分かる。これは、図４と同様、使用時にない代表的な圧迫装置を示し、したがって非伸展状態にある伸展可能なストラップ部分を示す、図５に示される断面図に最も分かりやすく示されている。ストラップの伸展可能な部分は、好ましくは、外側の材料層（１８）及び内側の材料層（１９）の２層を含み、内側層の材料及び外側層の材料はいずれも少なくとも横断方向に弾性を有し、内側の材料層が外側の材料層と接着されることによって、内側層の上に外側層の材料のループ（すなわちループ（２０））が与えられていることも分かる。この弾性、内側層の材料と外側層の材料との互いに対する取付けの構成、及び、ストラップのリングとの、またスリーブ上への取付けの構成の結果として、ストラップのループ包含部分（２１）は、少なくとも横断方向に伸展可能となっている。図４及び５に示されるように、ストラップの伸展可能な部分が伸展していない、すなわち非伸展状態にある場合、ループ（２０）は細長い隆起又はこぶとして目に見える。使用時に、装置が使用者の身体部分、具体的には手足に適用される際には張力がかけられ、これによりストラップの伸展可能な部分（２１）が横断方向に伸展し、ループが平らに潰れる。
【００７４】
ストラップの伸展可能な部分が２つの層を含む実施形態では、内側層の材料の弾性率（横断方向の）に内側層の材料の厚さを乗じた積が、外側層の材料の弾性率（横断方向の）に外側層の材料の厚さを乗じた積よりも小さいことが好ましい。一実施形態では、内側層の材料の弾性率に内側層の材料の厚さを乗じた積は、外側層の材料の弾性率に外側層の材料の厚さを乗じた積よりも少なくとも２倍、一実施形態では少なくとも４倍低い。
【００７５】
一般的に、上記に述べたように伸展可能な部分をループ指示機構とともに有する、リング及びストラップを含む圧迫装置では、ストラップの前記伸展可能な部分は、その非伸展状態において、少なくとも０．１ｃｍ、具体的には少なくとも０．５ｃｍのスリーブの横断方向に対する幅を有することが望ましい。ストラップの伸展可能な部分はその非伸展状態において、望ましくは最大で４ｃｍ、より望ましくは最大で３ｃｍの横断方向に対する幅を有する。一実施形態では、ストラップの伸展可能な部分は、その伸展状態におけるループがちょうど完全に平らに潰れる点において、少なくとも１ｃｍのスリーブの横断方向に対する幅を有する。一実施形態では、ストラップの伸展可能な部分は、その伸展状態におけるループがちょうど完全に平らに潰れる点において、最大で８ｃｍ、より好ましくは最大で６ｃｍのスリーブの横断方向に対する幅を有する。
【００７６】
図６〜１２は、ループ指示機構が、スリーブの上縁部と下縁部との間にほぼ縦に延びる細長い伸展可能なガセットとして設けられている代表的な実施形態を示す。一般的に、このようなガセットを有する圧迫装置では、ガセットは、上縁部から下縁部までのスリーブの高さの７０％〜最大１００％に相当する高さにわたって延びることが好ましく、ガセットはスリーブの上縁部から下縁部にまで延びることがより好ましい。上記に述べたスリーブの伸展可能な部分と同様、ガセットは、スリーブの少なくとも横断方向に弾性を有する材料を含み、ガセットがその非伸展状態にある場合（例えば圧迫装置が使用時にない場合）には装置の外面に外側に隆起した材料のループが形成され、使用時にスリーブの横断方向に張力がかかっている場合にはガセットは横断方向に伸展してループが平らに潰れる（最終的に消失する）ように、構成及び配置されている。
【００７７】
図６は、リングの代わりにアイレットを有する、使用者の身体部分、具体的に手足に圧迫を加えるために用いられる圧迫装置（１００）の代表的な一実施形態の外面の平面図を示し、図７は、この代表的な実施形態の断面図を示す。装置は、使用者の身体部分、具体的に手足の一部を実質的に覆うためのスリーブ（１）を有している。スリーブは、外側表面（３）、内側表面（４）、上縁部（７）、下縁部（８）、及び２つの側縁部（９、１０）を有している。他の代表的な実施形態と同様、第１の側縁部（９）から第２の側縁部（１０）にかけての横断方向において、スリーブは、第１の側部領域（１３）、中央領域（１４）、及び第２の側部領域（１５）を有している。スリーブの第２の側部領域には、スリーブの上縁部と下縁部との間に連続して複数のアイレット（１２：１個のみのアイレットに参照番号を付してある）が設けられている。各図、具体的に図７より認識されるように、第２の側縁領域（１５）もまた、アイレット（１２）と第２の側縁部（１０）との間に位置する補強材（３２）を有している。代表的な圧迫装置は更に、複数のストリップ状の機械的締結タブ（２）を各アイレットについて１個の締結タブを有している。締結タブ（２）及び第１の側部（１３）は、図４及び５に示される代表的な実施形態について上記に述べたのと同様に構成されることが好ましい。この代表的な装置もまた、アイレットの下に位置し、第２の側縁部（１０）から外側に延びるように、第２の側縁領域（１５）の内側表面（４）に望ましく取り付けられた舌部（５）を有している。舌部は、図４及び５に示される代表的な実施形態に関連して上記に述べたのと同様に構成されている。スリーブは更に、スリーブの上縁部（７）と下縁部（８）との間にほぼ縦に延びる細長い伸展可能なガセット（１１）を有し、具体的には、ガセットはスリーブの上縁部から下縁部にまで延びている。ガセットはスリーブの少なくとも横断方向に伸展可能であり、図７に示される断面図により分かりやすく示されるように、外面に外側に隆起した材料のループ（２０）を有している。伸展可能なガセット（１１）は、外側の材料層（１８）及び内側の材料層（１９）の２つの層を含むことも分かり、それぞれの前記材料は少なくとも横断方向に弾性を有している。図７から認識されるように、ガセットの外側層は、主材料（３０）であるスリーブの隣接して位置する材料と一体に形成されている。別の材料のストリップであるガセットの内側層がスリーブの内側表面に接着されることによって、内側層の上に外側層材料のループ（すなわちループ（２０））が与えられる。ループ（２０）は長尺状の隆起又はこぶとして目に見える。使用時に、装置（１００）が使用者の身体部分、具体的には手足に適用される際に張力がかけられ、これにより伸展可能なガセット（１１）は横断方向に伸展し、ループが平らに潰れる。
【００７８】
ガセットは、隣接して位置するスリーブ材料と少なくとも部分的に一体に形成することができるか、又はガセットは、スリーブ内に嵌め込み要素として設けることもできる（図８及び９に示される代表的な実施形態は後者の一例である）。ガセットが、隣接して位置するスリーブ材料と少なくとも部分的に一体に形成される場合、その隣接して位置するスリーブ材料は好ましくは主材料であり、そのため、ループの材料は主材料である。その場合、一般的にループ材料は、主材料と同じ弾性率及び厚さを有する点は認識されるであろう。そうでない場合、ループ材料の弾性率にループ材料の厚さを乗じた積が、前記主材料の弾性率に主材料の厚さを乗じた積の少なくとも９０％であり、具体的には、ループ材料の弾性率にループ材料の厚さを乗じた積が、前記主材料の弾性率に主材料の厚さを乗じた積に等しいか又はそれよりも大きいことが好ましくなり得る。
【００７９】
伸展可能なガセットが２つの層を有する実施形態では（例えばそれぞれの材料が少なくとも横断方向に弾性を有する外側の材料層と内側の材料層で、内側の材料層が外側の材料層に接着されることによって、ガセットがその非伸展状態にある場合に内側層の上に外側層の材料のループが与えられ、このループは、使用時に張力がかかっており、したがって横断方向にガセットが伸展する場合に平らに潰れ得る）、内側層の材料の弾性率に内側層の材料の厚さを乗じた積が、外側層の材料の弾性率に外側層の材料の厚さを乗じた積よりも小さくなることが好ましい。一実施形態では、内側層の材料の弾性率に内側層の材料の厚さを乗じた積は、外側層の材料の弾性率に外側層の材料の厚さを乗じた積よりも少なくとも２倍、一実施形態では少なくとも４倍低い。このような２層構造のガセットは、スリーブ内に嵌め込み要素として設けることができ、又はガセットの外側層をスリーブの隣接して位置する材料と一体に形成し、ガセットの内側層を、スリーブの内側表面に接着される別の材料のストリップとすることもできる。後者の方式の実施形態、すなわち外側層が、隣接して位置するスリーブ材料と一体に形成される実施形態について、隣接して位置するスリーブ材料が主材料であるような一実施形態では、またやはりこのような実施形態では、ループ材料（すなわち、２層構造の伸展可能なガセットの外側層の材料）の弾性率及び厚さは、主材料の弾性率及び厚さに通常等しいことは認識されるであろう。そうでない場合、上記に既に述べたように、ループの材料（例えば２層構造のガセットの実施形態の外側層の材料）の弾性率にループ材料の厚さを乗じた積は、主材料の弾性率に主材料の厚さを乗じた積の少なくとも９０％であることが好ましく、具体的には、ループの材料の弾性率にループ材料の厚さを乗じた積は、前記主材料の弾性率に主材料の厚さを乗じた積に等しいか又はそれよりも大きい。
【００８０】
図には示されていないが、図６及び７に示される代表的な圧迫装置が使用者の身体部分、具体的には手足（例えば使用者のふくらはぎを含む下腿）を覆う使用に供される場合、締結タブ（２）がアイレット（１２）に通され、折り返されて、それ自体の上に締結されることは認識されるであろう。第１の側縁部（９）がこれによってアイレットに近づく方向、したがってスリーブ（１）の第２の側縁部（１０）に近づく方向に引かれる。スリーブの２つの側縁部は互いに重なり合わないが、その背後に舌部（５）が中心に配置される開口部を画定することが好ましい。更に、図６及び７に示される圧迫装置を適用する際、スリーブ（１）は使用者の身体部分、具体的には手足の周囲に配置され、締結タブ（２）のそれぞれがその対向するアイレット（１２）に通され、それ自体の上に折り返されて引っ張られることによって、スリーブの第１の側縁部（９）がアイレット（１２）の方向に引がれ、これにより、スリーブが使用者の身体部分、具体的には手足の周囲に締め付けられ、その際、タブは、伸展可能なガセットのループが完全に平らに潰れるまで引っ張られる。ループが消失した時点で、締結タブが締結されることにより、スリーブ（及びそれにともなって圧迫装置）が使用者の身体部分、具体的には手足の周囲に拘束される。
【００８１】
ガセットは、その非伸展状態におけるスリーブの横断方向に対する幅が、望ましくは少なくとも０．１ｃｍ、より望ましくは少なくとも０．５ｃｍである。ガセットは、その非伸展状態におけるスリーブの横断方向に対する幅が、望ましくは最大で４ｃｍ、より望ましくは最大で３ｃｍである。一実施形態では、ガセットは、その伸展状態において、ループがちょうど完全に平らに潰れる点におけるスリーブの横断方向に対する幅が、少なくとも１ｃｍである。一実施形態では、ガセットは、その伸展状態において、ループがちょうど完全に平らに潰れる点におけるスリーブの横断方向に対する幅が、最大で８ｃｍ、具体的には最大で６ｃｍである。
【００８２】
ガセットは、締結タブとアイレット（又は、アイレットの代わりにリングを有する実施形態ではリング）との間のスリーブの任意の場所に設けることができる。装置が適用される際のガセットのループ指示機構を見やすくするため、ガセットは、スリーブの中央部分に、又は第２の側部に、より適当にはアイレット（又は適用可能な場合にはリング）の近くのスリーブの中央部分に、又は中央部分に向かうアイレット（又は適用可能な場合にはリング）の近くの若しくはアイレットに隣接した第２の側部に好ましくは設けることができる。
【００８３】
図６及び７に示される代表的な実施形態に戻ると、ガセットはスリーブの中央部分（１４）にあり、アイレット（１２）の近く、したがってスリーブの第１の側縁領域（１３）に取り付けられた締結タブ（２）から遠くに配置されていることが分かる。図には示されていないが、この代表的な圧迫装置（１００）が使用者の身体部分、具体的には手足に使用される際、スリーブ（１）は、平面（Ｐ）内に位置する中心軸（Ａ）を中心として配置され、ガセットは第３の軸（Ｇ）に沿って延び、ただし、中心軸（Ａ）を含む前記平面（Ｐ）上へのこの第３の軸（Ｇ）の投射に関して、第３の軸（Ｇ）は中心軸（Ａ）と平行又はほぼ平行に整列することは認識されるであろう。代替的な実施形態では、ガセットは、上記の第３の軸（Ｇ）が中心軸に対して最大２５°以下の鋭角（β）をなして傾斜するように、構成及び配置することができる。
【００８４】
図８及び９に示される代表的な圧迫装置は、伸展可能なガセット（１１）が、圧迫装置（１００）が使用者の身体部分、具体的には手足に使用される際に第３の軸（ｇ）に沿って延び、ただし、中心軸（Ａ）を含む前記平面（Ｐ）上へのこの第３の軸（Ｇ）の投射に関して、第３の軸（Ｇ）は中心軸（Ａ）に対して鋭角（β）をなして傾斜するように配置されている実施形態の一例である。詳細には、図８及び９に示される代表的な圧迫装置は、アイレットの代わりに、スリーブの上縁部（７）と下縁部（８）との間に連続して複数のリング（１６）を有するスリーブ（１）を有している。各リングは、スリーブ（１）とリング（１６）との間に延びるストラップ（１７）によって固定的に好ましく取り付けられている。この代表的な装置のリングは、スリーブの第２の側縁部（１０）に沿って配置され、前記縁部から離間して、第２の側縁領域（１５）から離れて配置されており、具体的には、スリーブの第２の側縁部（１０）に近い各リングの側縁部（３９）が、スリーブの第２の側縁部から離間している。一実施形態では、その間隔は、最大で４ｃｍ、より好ましくは最大で３ｃｍの距離に相当する。または、リングは、第２の側縁部に沿って（ただしやはり第２の側縁領域（１５）からは離れて）配置されてもよく、具体的には、スリーブの第２の側縁部（１０）に近い各リングの側縁部（３９）が、スリーブの第２の側縁部に隣接して配置されてもよい。図９より、この代表的な実施形態では、リング／ストラップはスリーブの第２の側縁領域（１５）に取り付けられ、スリーブの領域（１５）に補強材（３２）が設けられていることが分かる。この代表的な実施形態は、締結タブ（２）及び舌部（５）を有しており、いずれの要素も先に上記に述べたように構成及び配置されている。伸展可能なガセット（１１）に関して、図９より、この代表的な実施形態では、ガセットは、スリーブに、具体的にはその中央領域（１４）に嵌め込み要素として設けられていることが認識される。更に、図９の説明図を参照すると、スリーブは２つの個別の部分（１ａ及び１ｂ）からなり、ガセット（１１）は外側の材料層（１８）と内側の材料層（１９）とを含み、内側の材料層は外側の材料層の内側表面に接着され、内側層の上に外側層の材料のループ（２０）が与えられるように構成及び配置され、これによりガセットを２個のスリーブ部分（１ａ、１ｂ）のそれぞれの内側表面（４）に接着することで、２個のスリーブ部分が架橋されてループ（２０）が外側に面した完全なスリーブが与えられることが分かる。図９より認識されるように、２個のスリーブ部分（１ａ、１ｂ）のそれぞれは、スリーブの中央部分の大部分が主材料からなるように（すなわち、嵌め込みガセットを除くスリーブの中央部分が主材料で形成されるように）、主材料（３０）を含んでいる。
【００８５】
図８の説明図を参照すると、この代表的な実施形態のガセットは、例えば第２の側縁（１０）に対して傾斜していることが分かる。更に、使用者の下腿に使用されている図８及び９に示される代表的な圧迫装置（１００）の正面斜視図を示す図１０ａを参照すると、スリーブ（１）は中心軸（Ａ）を中心として配置され、ガセット（１１）は第３の軸（Ｇ）に沿って縦に延びていることが認識される。中心軸（Ａ）を含む平面（Ｐ）上へのこの軸（Ｇ）の投射を示す図１０ｂを参照すると、中心軸（Ａ）を含む前記平面（Ｐ）上への第３の軸（Ｇ）の投射に関して、第３の軸（Ｇ）は中心軸に対して約１２°の鋭角（β）をなして傾斜していることが認識される。図１０ａに戻ると、圧迫装置（１００）の使用時には、ガセット（１１）は横断方向に伸展し、ループは平らに潰れることも分かる。図１０ａに示唆されるように、装置が適切に適用されている場合には、ガセットは、ループが完全に平らに潰れるように（すなわち消失するように）伸展する。図１０ａ及び１０ｂよりやはり認識される点として、代表的な装置が使用者の手足（例えば下腿）に使用されている場合、複数のリングは第２の軸（Ｒ）に沿って延び、ただし、中心軸（Ａ）を含む前記平面（Ｐ）上への第２の軸（Ｒ）の投射に関して、この第２の軸（Ｒ）は中心軸に対して平行に整列するか又はほぼ平行に整列している。
【００８６】
図１１及び１２に示される代表的な圧迫装置は、図８及び９に示される代表的な実施形態の変形例の１つであり、以下の２つの点で異なっている。第１の点は、ガセット（１１）が嵌め込み要素として設けられておらず、ガセット（１１）の外側層（１８）がスリーブ（１）の隣接して位置する材料と、この特定の実施形態では、スリーブの主材料と一体に形成されており、ガセットの内側層（１９）はスリーブの内側表面（４）に接着された別の材料のストリップとなっている点である。第２の点は、圧迫装置（１００）が使用者の身体部分、具体的には手足に使用される際に第３の軸（ｇ）に沿って延びるようにガセット（１１）が縦に延び、ただし、中心軸（Ａ）を含む前記平面（Ｐ）上へのこの第３の軸（Ｇ）の投射に関して、第３の軸（Ｇ）は中心軸（Ａ）に対して平行又はほぼ平行である点である。
【００８７】
本明細書に示される代表的な実施形態では具体的には示されていないが、本明細書に述べられる圧迫装置は、例えば、スリーブから延出する、具体的にはスリーブの下縁部の適当な部分から延出する足部などの他の構造的要素を有するように構成することもできる。このような足部は、スターラップ（stir-up）の形態で構成及び配置してもよく、又は、このような足部は足をより広範囲に覆うように構成することもできる。更に、スリーブ及びこのような足部を、爪先側が閉じるか若しくは開いた、かつ／又は、踵側が閉じるか若しくは開いたブーツ型の圧迫装置を与えるように、構成及び配置することもできる。このような足部はスリーブと一体に形成して、又は、ボタン、機械的締結要素などの適当な締結手段によってスリーブに取り付けることができる別の構成部品として与えることができる。圧迫装置は、周方向のサイズの変更を助けるためのブラダー又はゲルインサートを有してもよい。これに関して、例えばスリーブにこのようなインサート用の二重壁又は内部ポケットを設けることにより、このようなインサートを必要又は所望に応じて挿入し、かつ／又は取り出すことができる。
【００８８】
以下の実施例は、本発明の実施について更に説明するものである。これらの実施例は、付属の特許請求の範囲において定義される本発明を限定することを目的としたものではない。
【００８９】
試験方法
伸長率及び回復伸長率の試験方法
伸長率及び回復伸長率を、ＢＳ  ＥＮ  １４７０４−１：２００５「布地の弾性の測定第１部：ストリップ試験：方法Ａ、編布」（「Ｄｅｔｅｒｍｉｎａｔｉｏｎ  ｏｆ  ｔｈｅ  ｅｌａｓｔｉｃｉｔｙ  ｏｆ  ｆａｂｒｉｃｓ，−Ｐａｒｔ  １：Ｓｔｒｉｐ  ｔｅｓｔｓ」：Ｍｅｔｈｏｄ  Ａ，  Ｋｎｉｔｔｅｄ  Ｆａｂｒｉｃｓ）（特にセクション８．２．２及びセクション９．２．１を参照）に基づいた測定法により、与えられた方法に以下の改変を行い、かつ／又は以下の条件で測定した。
（ｉ）ストリップ試験の試料は、測定する方向にその長さが平行となるように切断した。すなわち、ストリップを、試料の長さが、スリーブの横断／周方向となる材料の方向（前記横断方向における測定用）又はスリーブの長手方向となる材料の方向（前記長手方向における測定用）のいずれかに平行となるように切断した。
（ｉｉ）試料のサイズは長さ２５０ｍｍ及び幅５ｃｍとした（８．２．２．１．１を参照）。
（ｉｉ）ゲージ長さは７０ｍｍに設定した（９．２．１．１を参照）。
（ｉｉｉ）延伸速度は５００ｍｍ／分に設定した（セクション９．２．１．２の記載に従う）。
（ｉｖ）必要サイクリング限界は、上記のゲージ長さ及び１０Ｎ／ｃｍ幅の固定荷重（与えられた試料の幅では５０Ｎに相当）に設定した（サブセクション９．２．１．３を参照）。
（ｖｉ）最初のサイクル及び最後の（第５の）サイクルでは、試験装置を１０Ｎ／ｃｍ幅に１分間保持されるように設定した（９．３の注２を参照）。
（ｖｉｉ）回復時間は３０分間とした（９．３の注３を参照）。
（ｖｉｉ）試験試料は、５０％ＲＨ及び２０℃で２４時間、予備調整した。
（ｖｉｉｉ）試験試料の数は３個とし、相加平均を報告した。
【００９０】
以下の結果を得た。（ａ）伸長率（Ｓ）（％）＝［（最終サイクルにおける最大の力での伸び（ｍｍ）−初期の長さ）／初期の長さ］×１００；（ｂ）回復伸長率（Ｄ）（％）＝（１００−非回復伸長率（％））；非回復伸長率（Ｃ）（％）＝［（Ｑ−Ｐ）／Ｐ］×１００（ただし、Ｑは、第５のサイクル後、指定された保持及び回復時間の後の適用された基準マーク間の距離（ｍｍ）であり、Ｐは、基準マーク間の初期の距離（ｍｍ）である）；（ｃ）時間による伸長率増加率（％）＝［（指定された保持時間後の最終サイクルでの伸長率−指定された保持時間の前の最終サイクルでの伸長率（すなわちＳ））／指定された保持時間の前の最終サイクルでの伸長率］×１００。
【００９１】
張力の試験方法
張力を、ＢＳ  ＥＮ  １４７０４−１：２００５「布地の弾性の測定第１部：ストリップ試験」：方法Ａ、編布」（「Ｄｅｔｅｒｍｉｎａｔｉｏｎ  ｏｆ  ｔｈｅ  ｅｌａｓｔｉｃｉｔｙ  ｏｆ  ｆａｂｒｉｃｓ，−Ｐａｒｔ  １：Ｓｔｒｉｐ  ｔｅｓｔｓ」：Ｍｅｔｈｏｄ  Ａ，Ｋｎｉｔｔｅｄ  Ｆａｂｒｉｃｓ）（特にセクション８．２．２及びセクション９．２．１を参照）に基づいた測定法により、与えられた方法に以下の改変を行い、かつ／又は以下の条件で測定した。
（ｉ）ストリップ試験の試料は、測定する方向にその長さが平行となるように切断した。すなわち、ストリップを、試料の長さが、スリーブの横断／周方向となる材料の方向（前記横断方向における測定用）又はスリーブの長手方向となる材料の方向（前記長手方向における測定用）のいずれかに平行となるように切断した。
（ｉｉ）試料のサイズは長さ１００ｍｍ及び幅２．５ｃｍとした（８．２．２．１．１を参照）。
（ｉｉ）ゲージ長さは７０ｍｍに設定した（９．２．１．１を参照）。
（ｉｉｉ）延伸速度は５００ｍｍ／分に設定した（セクション９．２．１．２の記載に従う）。
（ｉｖ）必要サイクリング限界は、上記のゲージ長さ及び３０％の固定伸長率に設定した（サブセクション９．２．１．３を参照）。
（ｖ）サイクリング及び３０％の固定伸長率まで伸長する間、伸長率１０％、１５％、２０％及び２５％で測定された力を、伸長率３０％で測定された力とともに記録した。
（ｖｉ）最後の（第５の）サイクルでは、試験装置を最大伸長率（伸長率３０％）に１分間保持した（９．３の注２を参照）。
（ｖｉｉ）試験試料は、５０％ＲＨ及び２０℃で２４時間、予備調整した。
（ｖｉｉｉ）試験試料の数は３個とし、相加平均を報告した。
【００９２】
以下の結果を得た。（ａ）伸長率３０％における張力は、最終サイクルにおいて伸長率３０％で記録された最大の力を試料の幅サイズ（すなわち２．５ｃｍ）で割ったものであり、（ｂ）伸長率１０％、１５％、２０％及び２５％における張力は、最終サイクルにおいて伸長率１０％、１５％、２０％及び２５％で記録された力を試料の幅サイズ（すなわち２．５ｃｍ）で割ったものであり、（ｃ）第１の伸長率（％）から第２の伸長率（％）までの張力の差分商＝［（第２の伸長率（％）における張力−第１の伸長率（％）における張力）／（第２の伸長率（％）−第１の伸長率（％））］である。
【００９３】
水蒸気透過率の試験方法
布地の水蒸気透過率を、試験方法ＤＩＮ  ＥＮ  ＩＳＯ  １５１０６−第１部：２００５「水蒸気透過率の測定第１部、湿度検出センサー法」（Determination of Water Vapour Transmission Rate - Part 1 Humidity Detection Densor Method）」に従い、与えられた方法で以下のパラメータ、条件を用い、以下の改変を行って測定した。
（ｉ）３８℃；水蒸気差９０％；相対湿度（上側チャンバ）１０％、相対湿度（下側チャンバ）１００％（表１；セクション８のパラメータ群２を参照）。
（ｉｉ）基準試料Ｃｏｒｅ  Ｔｅｘ、５０００ｇ／（ｍ２・２４ｈ）、ロット番号０７１８０８；１６．１１．２００９。
（ｉｉｉ）直径１０ｃｍの円形拡散領域。
（ｉｖ）試験試料の数は３個とした（試料は、直径３０ｍｍの切断円を有するダイで打ち抜き、アルミニウムバリアフィルムは、直径１０ｍｍの切断円を有するダイで切り抜き、エム・アール・エス・ザイッター社（MRS Seitter GmbH）より販売されるバージョンＭＲＳ  ０２２５；ロット番号１００６０４の試料カードを用いた）。
（ｖ）試験試料は、試験に先立って５０％  ＲＨ及び２３℃で２４時間、予備調整した。
（ｖｉ）ジントロニック社（Gintronic AG）（スイス、ルティ、ＣＨ−８６３０）より販売されるＥａｓｙｐｅｒｍ  ＷＶＰＴ  ６５０Ｍを測定装置として使用した。
【００９４】
水蒸気透過速度はｇ／（ｍ２・２４ｈ）で報告した。
【００９５】
曲げ長さ及び曲げ剛性の試験方法
布地の曲げ長さ及び曲げ剛性を、試験方法ＩＳＯ  ９０７３−７第１版１９９５−１２−１５「織物−不織布の試験方法第７部：曲げ長さの測定§布地の剛性の標準的試験方法」（「Textiles - Test methods for nonwovens Part 7:Determination of bending length」§ Standard Test Method for Stiffness of Fabrics）に従い、以下のパラメータ及び条件で測定した。
（ｉ）試料は１インチ×８インチ（２５．４ｍｍ×２０３．２ｍｍ）のものとした。
（ｉｉ）試料は２１℃及び６５％  ＲＨで２４時間予備調整してから試験した。
（ｉｉｉ）各試験（縦及び横）方向について３個の試料を試験し（ＭＤはスリーブの長手方向に対応し、ＣＤはスリーブの横断方向に対応する）、平均値を報告した。
（ｉｖ）試験は、Ｍ００３Ｂ  Ｓｈｉｒｌｅｙ剛性試験装置を使用して行った。
【００９６】
各試験方向について単位ｃｍで測定した曲げ長さ（Ｃ）は、オーバーハングの長さを２で割ったものに等しく、単位ｍＮ・ｃｍで測定した、単位幅あたりの曲げ剛性（Ｇ）は、式Ｇ＝ｍ×Ｃ３×１０−３（ここで、ｍは、単位面積あたりの試験片の質量（ｇ／ｍ２）であり、Ｃは曲げ長さ（ｃｍ）である）を用いて計算した。
【００９７】
材料
Ｍ１：以下の特性を有する、ゲーリング・テキスタイルズ社（Gehring Textiles Inc.）（米国、ニューヨーク州ガーデンシティー、１１５３０）よりＳＨＲ  ７００／３  Ｄ３  Ｄ／０  ７２０８８１０の商品名で販売される経編されたスペーサー：
坪量２８８ｇ／ｍ２、厚さ２．３ｍｍの１００％ポリエステル；
約２００μｍの糸直径及び約１５μｍのシングルフィラメントの直径を有するマルチフィラメント糸で形成された外側層、及び約６５μｍの直径を有するモノフィラメント糸で形成されたスペーサー層；及び
図１５ａ〜ｅの走査電子顕微鏡及び光学顕微鏡の画像に示されるような編み構造。
【００９８】
使用時には、面１（すなわち図１５ａに示される面）が装置の内部に向かって用いられ、面２（すなわち図１５ｂ及びｃに示される面）が装置の外部に向かって用いられた。
【００９９】
Ｍ２：以下の特性を有する、ミュラー・テキスタイル社（Mｕller Textil）（ドイツ、ヴィール、５１６７４）より３  Ｍｅｓｈ  ５９９２の商品名で販売される経編されたスペーサー：
坪量３８０ｇ／ｍ２、厚さ約２．６ｍｍの１００％ポリエステル；
マルチフィラメント糸で形成された外側層と直径約６５μｍのモノフィラメント糸で形成されたスペーサー層；
第１の外側層と第２の外側層のマルチフィラメント糸は異なっており、一方の面（面１）では、糸の直径は約４００μｍ、シングルフィラメントは約１０μｍ〜約２２μｍの範囲の直径を有し、その大部分は約１６μｍ〜約１９μｍの範囲にあり、他方の面（面２）では、糸の直径は約２５０μｍ、シングルフィラメントは約１０μｍ〜約２２μｍの範囲の直径を有する不規則な形状のものであり、その大部分は約１６μｍ〜約１９μｍの範囲にある；及び
図１６ａ〜ｄの走査電子顕微鏡及び光学顕微鏡の画像に示されるような編み構造。
【０１００】
使用時には、面１（すなわち図１５ａに示される面）が装置の内部に向かって用いられ、面２（すなわち図１６ｂに示される面）が装置の外部に向かって用いられた。
【０１０１】
ＣＭ１：サーケイド・メディカル・プロダクツ社（Circaid Medical Products）（米国、カリフォルニア州、サンディエゴ、９２１２３）よりＪＵＸＴＡＣＵＲＥＳの商品名で販売される圧迫製品の布地（製品は２０１２年に購入）；
ＣＭ２：ファロー・メディカル社（FarrowMed, LLC）（米国、テキサス州、７７８０３）よりＦＡＲＲＯＷＷＲＡＰ  Ｔｒｉｍ−ｔｏ−Ｆｉｔ  ｓｔｒｏｎｇの商品名で販売される圧迫製品の布地（製品は２０１２年に購入）：
ＣＭ３：スリー・エム・フトゥーロ社（3M Futuro）よりＲｅｖｅｒｓｉｂｌｅ  Ｓｐｌｉｎｔ  Ｗｒｉｓｔの商品名で販売される手首用副木製品（「Ｈａｎｄｇｅｌｅｎｋｓｃｈｉｅｎｅ」製品番号４７８５５）。厚さ３．１ｍｍ及び坪量６００ｇ／ｍ２のラバーライト社（Rubberlite）（米国、ウェストバージニア州、ハンティントン、２５７０３）より販売されるポリエステル編布／ポリウレタンフォーム／ポリエステル編布の積層体：ＲＰ−Ｍ−７６７／０．０７５インチのＲｕｂｂｅｒｌｉｔｅ  Ｓ０７０２フォーム／ＲＦ−Ｍ−２８７７ポリエステル編布ＲＰ−Ｍ−７６７及びＲＦ−Ｍ−２８７７は、グリーン・テキスタイルズ社（Green Textiles）（米国、サウスカロライナ州、スパータンバーグ、２９３０１−４９２９）製のもの。
【０１０２】
材料の性質についての試験結果
【０１０３】
【表１】
0006495889.tif 000002
【０１０４】
【表２】
0006495889.tif 000003
【０１０５】
【表３】
0006495889.tif 000004
【０１０６】
最終サイクルで測定された伸長率（％）に対する張力の結果を図１７にプロットする。以下の表は、第１の伸長率から第２の伸長率までの差分商を与えるものである。
【０１０７】
【表４】
0006495889.tif 000005
【０１０８】
【表５】
0006495889.tif 000006
【０１０９】
【表６】
0006495889.tif 000007
【０１１０】
【表７】
0006495889.tif 000008
【０１１１】
【表８】
0006495889.tif 000009
【０１１２】
圧迫装置による試験
人工脚を使用した試験方法
足首（中心）と膝の下端との間の長さ３５ｃｍ、足首のすぐ上の外周２４ｃｍ、及びふくらはぎ部分の外周３５．５ｃｍ（測定位置における）のプラスチックで形成された非圧縮性の人工脚を使用して、圧迫装置を試験した。人工脚と圧迫装置との間に配置された膨張式エアブラダーを使用して、足体積の膨張、例えば、人が仰臥位／安静姿勢から立った姿勢に動く場合の通常の体積の膨張をシミュレートした。膨らませる間及び空気を抜く間のブラダーの均一な膨張及び収縮を助けるため、最初に人工脚を長さ３５ｃｍの白色の編まれたポリエステルメリヤス地（３Ｍ  Ｓｔｏｃｋｉｎｅｔ  ７．６ｃｍ×２２．８ｍ（ＭＳ０３；７０−２００４−７３０１−８））で覆った。試験の間、メリヤス地と圧迫装置との間にブラダーが位置するように、ブラダーをメリヤス地に固定した（下記参照）。ティー・ティー・メディトレード社（TT MediTrade ApS）（デンマーク、Ｓｏｌｅｄｄｅｔ  １６，４１８０  Ｓｏｒｏ）より入手したＫｉｋｕｈｉｍｅ包帯下加圧装置のセンサーに付属している直径１１０ｍｍの円形パウチを、膨張式ブラダーとして機能するように取り付けた。ブラダーの縁を、２本の長さ４ｃｍの３Ｍ  Ｍｉｃｒｏｐｏｒｅテープのストリップを用いて人工脚の前面（脛骨）のメリヤス地に固定し、人工脚の外周が３５５ｍｍとなる位置でブラダーを中心に配置した。直径約５０ｍｍのマイクロラブ・エレットロニカ社（MicroLab Elettronica）（イタリア）より入手したＰｉｃｏ  Ｐｒｅｓｓ圧力センサーを、膨張式ブラダーと同じ脚の高さのふくらはぎ部分のメリヤス地に同様に固定した。センサー及びブラダーのチューブを人工脚の膝領域にまで延ばし、やはり３Ｍ  Ｍｉｃｒｏｐｏｒｅテープを用いて固定した。バルブを介して膨張式ブラダーをベローズに接続した。センサーは、マイクロラブ・エレットロニカ社（MicroLab Elettronica Sas）（イタリア、Ｒｏｎｃａｇｌｉａ  ｄｉ  Ｐｏｎｔｅ  Ｓａｎ  Ｎｉｃｏｌｏ（ＰＤ））より入手したＰｉｃｏ  Ｐｒｅｓｓ圧力測定ユニットと接続した。
【０１１３】
試験した圧迫装置において、装置の外側表面にペンでマークを２個つけ、装置が人工脚に装着される際、２個のマークがブラダー及びセンサーの中心を通る外周線と一致する高さとなるようにした。例えば、図１３及び１４を参照して下記により詳細に述べる、図１に示されるものと似た設計を有する試験した圧迫装置と関連して、この位置で、ブラダーは、図１３においてマークＭ’及びＭ”、並びに線ＷＭと揃った高さを中心として配置される。マーク間の距離は少なくとも１２ｃｍ（非膨張状態で）とし、両方のマークの間に主圧迫材料のみが位置するようにマークが主圧迫材料上となるように、両方のマークを配置した。更に、マークは、閉鎖システム、補強材、又は主材料の他のいずれの付属要素とも重ならないように配置した。
【０１１４】
すべての材料及び装置は、測定前２４時間以内及び測定の間、周囲条件（２３℃±２℃、相対湿度５０％±１０％）に曝露した。
【０１１５】
仰臥位／安静姿勢における圧力
膨張式ブラダーから空気を抜いて空にし、試験する圧迫装置を人工脚に取り付けてから閉じて締め付けることによって、約４２ｍｍＨｇ（＋／−３ｍｍＨｇ）（５．６ｋＰａ （＋／−０．４ｋＰａ）の圧力を得た（Ｐｉｃｏ  Ｐｒｅｓｓ装置により測定）。正確な圧力を記録し、「安静状態での圧力」とした。人工脚は、それ自体の重さが、対象となる位置における圧力分布に影響しないように位置決めした（すなわち、例えば直立姿勢で横にならない）。
【０１１６】
定常圧力
この後、センサー及び脱気された／空のブラダーが取り付けられた位置における圧迫装置の周囲の外周を、測定テープによって測定した。次いでブラダーのバルブを開き、外周が１ｃｍ（±０．１ｃｍ）だけ大きくなるまでブラダーに空気を充填し、最後にブラダーのバルブを閉じた。圧力を再度測定し、「定常圧力」として記録した。
【０１１７】
延伸状態での基準距離
試験した圧迫装置の外側表面上の２個のマーク間の最も短い横断方向／周方向の距離を、測定テープを用いて±１ｍｍの精度で測定し、「延伸状態での基準距離」とした。
【０１１８】
この後、バルブを開いてブラダーの空気を抜いた。次いで、この手順を１０分以内に繰り返した。上記の値（安静姿勢での圧力、定常圧力、及び延伸状態での基準圧力）を再び測定し、記録した。記録した値は、これら２つの測定値の平均である。
【０１１９】
非延伸状態での基準距離
この後、圧迫装置を人工脚から外し、３０分間の待ち時間の後、マーク間の最も短い横断方向／周方向の距離を再び測定し、「非延伸状態での基準距離」として記録した。
【０１２０】
「圧力差」は、「定常圧力」と「安静状態での圧力」との差であり、装置の延伸抵抗の尺度である。「装置延伸率（％）」の値は、（延伸状態での基準距離の値−非延伸状態での基準距離の値）／（非延伸状態での基準距離の値）×１００である。（注：平面に展開された装置におけるマークＭ’とＭ”との間の最短距離は直線である。）装置が装着された際、それに沿って同じマーク間の最短距離が測定される線（装置上にマークすることができる）は、上記に述べた直線と正確には一致しない場合もある。これは、計算される装置延伸率（％）に所定の、しかしわずかな量の不正確性を生じ得るが、試験したすべての装置は同じ方法で測定したことから、これは無視することができる。
【０１２１】
試験した圧迫装置
Ｓ１：図１３及び１４に示される試作品設計に基づいた、主材料として材料Ｍ１を使用した以下に述べる圧迫装置。
【０１２２】
ＣＳ１：サーケイド・メディカル・プロダクツ社（Circaid Medical Products）（米国、カリフォルニア州、サンディエゴ、９２１２３）よりＪＵＸＴＡＣＵＲＥＳの商品名で販売される圧迫製品（製品は２０１２年に購入）。装置は、製造者の指示に従ってしたがって、使用した人工脚に適合するように調整した。国際公開第２０１１／０６６２３７号の図１を参照し、上縁が３６ｃｍの位置、下縁が２４ｃｍの位置に位置するようにして脊柱の湾曲が配置されるように本体部分に脊柱部分を取り付け、その後、本体部分の余分な材料を切り取った。
【０１２３】
ＣＳ２：ファロー・メディカル社（FarrowMed, LLC）（米国、テキサス州、７７８０３）よりＦＡＲＲＯＷＷＲＡＰ  Ｔｒｉｍ−ｔｏ−Ｆｉｔ  ｓｔｒｏｎｇの商品名で販売される圧迫製品（ミディアムサイズ）（製品は２０１２年に購入）：米国特許出願公開第２００５／０２０９５４５号を参照すると、この製品は、その中央において中心のバンドに沿って固定された一連の重なり合うストラップ（高さ１０ｃｍ）で構成されている。装着時には、ストラップ同士は長手方向に約５０％重なり合い、各ストラップの重なり合い部分において２層の材料を与える。更に、外周に沿ってストラップが重なり合い、固定されることにより、更なる材料の重なり合いが生じ、したがって部分によって、３層、更には４層の重なり合いを有する。下記に述べる試験では、ストラップが４本の製品を使用し、各ストラップの横断方向の全体の長さは、それぞれ４６ｃｍ、４５ｃｍ、４１ｃｍ及び３２ｃｍであった（最も短いストラップが足首の近くに、最も長いストラップが膝の近くに配置される）。
【０１２４】
ＣＳ３：図１３及び１４に示される試作品設計に基づいた、主材料として材料ＣＭ３を使用した以下に述べる基準圧迫装置。
【０１２５】
Ｓ１及び基準ＣＳ３の試作品設計
Ｓ１及びＣＳ３を、唯一の相違点が２つの試作品の主材料となるように、図１３及び１４に示されるのと同様の設計に従って作製した。すなわち、Ｓ１では主材料をＭ１とし、ＣＳ３では主材料をＣＭ３とし、閉鎖システム及び他のすべての要素は同じとした。図１３及び１４を参照し、以下の寸法及び材料を使用した。
【０１２６】
【表９】
0006495889.tif 000010
【０１２７】
上記に述べたように、スリーブ（図１３及び１４の１）は、材料Ｍ１又はＣＭ３で形成されたものである。
【０１２８】
舌部（図１３及び１４の５）は、以下の４つの層（内側から外側に）で構成された、ラバーライト社（Rubberlite）（米国、ウェストバージニア州、ハンティントン、２５７０３）より、ＶＩＳＣＯ  ＴＲＩ−ＶＩＳＣＯ（ＰＵフォーム３９２１１３００００）の商品名で販売、入手されるフォーム含有積層材料で形成されたものとした。すなわち、ａ）グリーン・テキスタイル・アソシエーション社（Green Textile Association）よりＳｔｙｌｅ  Ｐ−Ｊ−００３５  ４０１の商品名で販売される黒のポリエステルジャージー布地；ｂ）ラバーライト社（Rubberlite）より、ＨＹＰＵＲ−ＣＥＬ  Ｔ０８１２の商品名で販売されるポリウレタンフォーム（厚さ１．６ｍｍ）；ｃ）ラバーライト社（Rubberlite）より、ＶＩＳＣＯ−ＣＥＬ  Ｖ０５７５の商品名で販売されるポリウレタンフォーム（厚さ２．４ｍｍ）；及びｄ）グリーン・テキスタイル・アソシエーション社（Green Textile Association）よりＳＲ−４８１６の商品名で販売されるシルバーのポリエステルジャージー布地。上記の各層をウレタン硬化性ホットメルトにより貼り合わせた。舌部を、その側縁の一方に沿って、第２の側部領域のスリーブの内側表面に縫い付けにより取付けた。
【０１２９】
補強材（図１３及び１４の３２）は、スリー・エム社（3M）よりＳＣＯＴＣＨＣＡＳＴ  ７２３６２の商品名で販売される厚さ１．６ｍｍの熱可塑性ダクト材料とし、補強材を覆う材料（図１３及び１４の３２ａ）は、スエード状の１００％コットンの布地とした。
【０１３０】
締結ストリップ（図１３及び１４の２）は、ベルクロ・ユー・エス・エー社（Velcro USA Incorporated）よりＶＥＬＣＲＯ  Ｌｏｏｐ  １０００の商品名で販売される適当なループ材料のストリップ（図１３及び１４の２２及び２３）を、ベルクロ・ユー・エス・エー社（Velcro USA Incorporated）よりＶＥＬＣＲＯ  Ｈｏｏｋ  ８８の商品名で販売される適当なフック材料のストリップ（図１３及び１４の２４）と互いに縫い付けることによって作製した。締結ストリップを、スリーブの第１の側部領域に縫い付けにより取り付けた。
【０１３１】
楕円形リング（図１３及び１４の１６）は、図１３及び１４に示されるように、ステンレス鋼製、リングワイアの直径２．５ｍｍ、内側の幅６．９ｍｍ、内側の高さ５２ｍｍ、上下の内径３ｍｍのものとした。リングは、前記ループ材料で形成されたストリップ（図１３及び１４の１７）を介して、１００％ポリエステル材料の細長いストリップ（図１３及び１４の１７ａ）に縫い付けにより取り付け、次いで細長いストリップを、リングストラップが補強材の上かつ補強材に沿って位置するように第２の側部領域のスリーブの外側表面に縫い付けにより取り付けた。
【０１３２】
糸：４０−ＰｅｒｍａＣｏｒｅ（アメリカン・アンド・エファード社）（A&E）（American & Efird LLC）（米国、ノースカロライナ州、マウントホーリー）を関連する構成要素を互いに縫い付けるために使用した。
【０１３３】
装置Ｓ１及びＣＳ３が人工脚に装着され、閉じられたが、まだ締め付けられていない時点では、図１３でＷＸで示される線に沿った周方向の主材料の幅は、同じ高さにおける装置の全体の外周と比較して約６０％であった。上記に述べたように、人工脚で試験する際、センサー及びブラダーを、Ｍ’、Ｍ”及びＷＭに一致した高さに配置する。締結ストリップ、リングストラップ、補強材、及び舌部が固定的に取り付けられるスリーブの領域（すなわち、第１及び第２の側縁領域）は、非延伸性であるか又はほぼ非延伸性であることは認識されるであろう。装置が使用時にない場合、スリーブの中央領域、すなわち、締結タブをスリーブと連結する長手方向の内側シーム（図１４の２９）と、舌部及びリングストラップをスリーブと連結するシーム（図１４の３１）との間の領域は、スリーブの全面積の約５４％の面積を有していた。第１及び第２の側部領域の面積比率（％）はそれぞれ約３３％及び１３％であった。
【０１３４】
人工脚での試験の結果
【０１３５】
【表１０】
0006495889.tif 000011
【０１３６】
【表１１】
0006495889.tif 000012
【０１３７】
測定された圧力を参照すると、圧迫装置Ｓ１は、他の試験した装置と比較して大幅に高い圧力差を示していることが分かる。具体的には、Ｓ１の圧力差の値は、基準装置ＣＳ３で測定された圧力差よりも４倍高くなっている。Ｓ１とＣＳ３との相違が主材料のみである（すなわち、基準材料ＣＭ３に対してＭ１）ことを考慮すると、このことは、圧迫材料Ｍ１が圧迫療法における使用において特に有利であることを示している。更に、試験の結果は、１０Ｎ／ｃｍ幅での伸長率（％）が低く、かつ伸長率２０％〜伸長率２５％における張力の差分商が高いこのような主材料の使用によって、有利な延伸抵抗性、したがって効果的な治療のための望ましく高い圧迫圧力がかかっていることを示すものである。
【０１３８】
Ｓ１とＣＳ１とを直接比較することは、これらの圧迫装置の構造設計が異なるという事実から比較的複雑である。更に、ＣＳ１では、センサー及びブラダーが位置付けられた高さにおいて、脚の外周の１４％が非延伸性材料、すなわち非延伸性閉鎖システムで覆われているのに対して、残りの８６％はＣＳ１の圧迫材料で覆われているが、Ｓ１の主圧迫材料は同じ高さの６０％を覆っている（すなわち図１３のＷＸに相当する高さにおいて）。したがって、ＣＳ１がＣＳ１の圧縮材料によって８６％ではなく６０％しか覆っていなかったとすると、圧力差はそれに応じて約１．５倍高くなるであろう（すなわち約９ｍｍＨｇ（１ｋＰａ））。この値は、Ｓ１の圧力差よりも大幅に小さい（約３．５倍低い）。
【０１３９】
同様に、Ｓ１とＣＳ２とを直接比較することも、これらの圧迫装置の構造設計が異なる事実により、具体的には、ブラダー及びセンサーが位置付けられた高さにおいて、ＣＳ２のストラップ同士が重なり合い、少なくとも２つの層（この場合もやはり、各ストラップの端部は３層又は４層の重なり合い部分を形成する）を与えることにより比較的複雑である。更に、ＣＳ２では、センサー及びブラダーが位置付けられた高さにおいて、少なくとも２層のＣＳ２の圧迫材料が、脚の外周の８６％を覆っていた（すなわち、非延伸性のフック／ループ閉鎖システムが外周の１４％を占める）。ＣＳ２が脚の外周の６０％のみを単一層で覆っていたとすると、圧力差はほぼ同じか又は更にはわずかに低くなっていたであろう（すなわち約３ｍｍＨｇ（０．４ｋＰａ））（すなわち、外周の差のため、１．５倍高くなるが、２層ではなく１層によって覆われるために２倍低くなる）。
【０１４０】
本発明の範囲及び趣旨から逸脱することなく本発明に様々な改変及び変更を行い得ることは当業者には明らかであろう。本発明は、本明細書に記載される例示的な実施形態及び実施例によって不要に限定されるものではなく、またこうした実施例及び実施形態はあくまで例として示されるものにすぎず、本発明の範囲は、本明細書に記載される「特許請求の範囲」によってのみ限定されるものとして理解されるべきである。
本開示は以下も包含する。
［１］  使用者の身体部分に圧迫を加えるための圧迫装置であって、
前記使用者の身体部分の一部を実質的に覆うためのスリーブを備え、
前記スリーブが、外側表面、内側表面、上縁部、下縁部、及び２つの側縁部を有し、第１の側縁部から第２の側縁部にかけての横断方向において、前記スリーブが、第１の側部領域、中央領域、及び第２の側部領域を有し、前記スリーブの少なくとも前記中央領域が、少なくとも前記スリーブの横断方向における弾性として、１０Ｎ／ｃｍ幅の荷重下で５％〜最大３０％以下の前記横断方向における最大伸長率を有し、かつ、伸長率２０％〜伸長率２５％における横断方向の張力の差分商が０．６Ｎ／ｃｍ幅／伸長率（％）以上である材料（主材料）を含み、
前記装置が解放可能な閉鎖システムを更に備え、使用時に前記閉鎖システムが閉鎖される際、前記スリーブが前記使用者の前記身体部分の周囲に拘束及び締め付けられるように、前記閉鎖システムが構成され、かつ前記スリーブに対して配置されている、圧迫装置。
［２］  前記伸長率２０％〜伸長率２５％における横断方向の張力の差分商が、０．８Ｎ／ｃｍ幅／伸長率（％）以上、具体的には１．０Ｎ／ｃｍ幅／伸長率（％）以上、より具体的には１．２Ｎ／ｃｍ幅／伸長率（％）以上、最も具体的には１．４Ｎ／ｃｍ幅／伸長率（％）以上である、上記態様１に記載の圧迫装置。
［３］  前記伸長率２０％〜伸長率２５％における横断方向の張力の差分商が、１２Ｎ／ｃｍ幅／伸長率（％）以下、具体的には１０Ｎ／ｃｍ幅／伸長率（％）以下、より具体的には８Ｎ／ｃｍ幅／伸長率（％）以下、最も具体的には６Ｎ／ｃｍ幅／伸長率（％）以下である、上記態様１又は上記態様２に記載の圧迫装置。
［４］  前記主材料の前記横断方向の最大伸長率が、１０Ｎ／ｃｍ幅の荷重下で６％以上、具体的には、１０Ｎ／ｃｍ幅の荷重下で７％以上である、上記態様１〜３のいずれかに記載の圧迫装置。
［５］  前記主材料の前記横断方向の最大伸長率が、１０Ｎ／ｃｍ幅の荷重下で２７％以下、具体的には、１０Ｎ／ｃｍ幅の荷重下で２５％以下、より具体的には、１０Ｎ／ｃｍ幅の荷重下で２３％以下である、上記態様１〜４のいずれかに記載の圧迫装置。
［６］  前記主材料の伸長率１５％〜伸長率２０％における横断方向の張力の差分商が、伸長率２０％〜伸長率２５％における横断方向の張力の差分商の７０％以下、具体的には、伸長率２０％〜伸長率２５％における横断方向の張力の差分商の５５％以下、より具体的には、伸長率２０％〜伸長率２５％における横断方向の張力の差分商の４５％以下、最も具体的には、伸長率２０％〜伸長率２５％における横断方向の張力の差分商の３５％以下である、上記態様１〜５のいずれかに記載の圧迫装置。
［７］  前記主材料の伸長率２５％〜伸長率３０％における横断方向の張力の差分商が、１．２Ｎ／ｃｍ幅／伸長率（％）以上、具体的には１．８Ｎ／ｃｍ幅／伸長率（％）以上、より具体的には２．４Ｎ／ｃｍ幅／伸長率（％）以上、最も具体的には３．０Ｎ／ｃｍ幅／伸長率（％）以上である、上記態様１〜６のいずれかに記載の圧迫装置。
［８］  前記主材料の伸長率２５％〜伸長率３０％における横断方向の張力の差分商が、２４Ｎ／ｃｍ幅／伸長率（％）以下、具体的には２０Ｎ／ｃｍ幅／伸長率（％）以下、より具体的には１６Ｎ／ｃｍ幅／伸長率（％）以下、最も具体的には１２Ｎ／ｃｍ幅／伸長率（％）以下である、上記態様１〜７のいずれかに記載の圧迫装置。
［９］  前記主材料の横断方向の回復伸長率が、８０％以上、具体的には８５％以上、より具体的には９０％以上、最も具体的には９５％以上である、上記態様１〜８のいずれかに記載の圧迫装置。
［１０］  前記主材料の横断方向の伸長率増加率が、３．５％以下である、上記態様１〜９のいずれかに記載の圧迫装置。
［１１］  前記主材料の伸長率３０％における横断方向の張力が、１０Ｎ／ｃｍ幅以上、具体的には１５Ｎ／ｃｍ幅以上、より具体的には２０Ｎ／ｃｍ幅以上、最も具体的には２５Ｎ／ｃｍ幅以上であり、かつ／又は、
前記主材料の１分間の保持後の伸長率３０％における横断方向の張力が、１０Ｎ／ｃｍ幅以上、具体的には１５Ｎ／ｃｍ幅以上、より具体的には２０Ｎ／ｃｍ幅以上、最も具体的には２５Ｎ／ｃｍ幅以上である、上記態様１〜１０のいずれかに記載の圧迫装置。
［１２］  前記主材料の伸長率３０％における横断方向の張力が、５５Ｎ／ｃｍ幅以下、具体的には５０Ｎ／ｃｍ幅以下、より具体的には４５Ｎ／ｃｍ幅以下、最も具体的には、４０Ｎ／ｃｍ幅／以下であり、
かつ／又は、
前記材料の１分間の保持後の伸長率３０％における横断方向の張力が、５５Ｎ／ｃｍ幅以下、具体的には５０Ｎ／ｃｍ幅以下、より具体的には４５Ｎ／ｃｍ幅以下、最も具体的には４０Ｎ／ｃｍ幅以下である、上記態様１〜１１のいずれかに記載の圧迫装置。
［１３］  前記主材料が、前記スリーブの長手方向に弾性を有する、上記態様１〜１２のいずれかに記載の圧迫装置。
［１４］  前記主材料の伸長率３０％における長手方向の張力に対する伸長率３０％における横断方向の張力の比が、１．８超であり、具体的には２．０以上、より具体的には２．２以上であり、
かつ／又は、
前記主材料の１分間の保持後の伸長率３０％における長手方向の張力に対する１分間の保持後の伸長率３０％における横断方向の張力の比が、１．８超であり、具体的には２．０以上、より具体的には２．２以上である、上記態様１〜１３のいずれかに記載の圧迫装置。
［１５］  前記主材料の内側表面から外側表面への水蒸気透過率が、２０００ｇ／（ｍ２・２４時間）以上、具体的には２２００ｇ／（ｍ２・２４時間）以上である、上記態様１〜１４のいずれかに記載の圧迫装置。
［１６］  前記主材料が、繊維性布地、具体的には織布又は編布、より具体的にはスペーサー編布、最も具体的には経編されたスペーサー布地を含む、上記態様１〜１５のいずれかに記載の圧迫装置。
［１７］  前記布地の坪量が、１００ｇ／ｍ２以上、具体的には１５０ｇ／ｍ２以上、より具体的には２００ｇ／ｍ２以上、更により具体的には２５０ｇ／ｍ２以上であり、かつ／又は、
前記布地の厚さが、０．５ｍｍ以上、具体的には１．０ｍｍ以上、より具体的には１．４ｍｍ以上、更により具体的には１．８ｍｍ以上であり、かつ／又は、
前記布地の厚さが、６．０ｍｍ以下、具体的には５．２ｍｍ以下、より具体的には４．４ｍｍ以下、更により具体的には３．６ｍｍ以下である、上記態様１６に記載の圧迫装置。
［１８］  前記主材料の横断方向及び／又は長手方向の曲げ長さが、２０ｃｍ以下、具体的には１５ｃｍ以下、より具体的には１０ｃｍ以下、最も具体的には５．０ｃｍ以下であり、かつ／又は、
前記主材料の横断方向及び／又は長手方向の曲げ剛性が、１５０ｍＮ・ｃｍ以下、具体的には１２５ｍＮ・ｃｍ以下、より具体的には７５ｍＮ・ｃｍ以下、最も具体的には３５ｍＮ・ｃｍ以下である、上記態様１〜１７のいずれかに記載の圧迫装置。
［１９］  前記中央領域の面積が、前記スリーブの全面積の少なくとも４０％（具体的には少なくとも４５％、より具体的には少なくとも５０％）であり、かつ／又は、
前記下縁部から前記上縁部までの前記スリーブの高さの２／３に相当する前記高さにおいて、前記スリーブの前記中央領域が、前記スリーブの横断方向に前記スリーブを横切って４０％以上延びる、上記態様１〜１８のいずれかに記載の圧迫装置。
［２０］  前記スリーブの前記中央領域の全面積の少なくとも８５％（具体的には少なくとも９０％、より具体的には少なくとも９５％）が、前記主材料で形成される、上記態様１〜１９のいずれかに記載の圧迫装置。
［２１］  前記第１の側部領域及び前記第２の側部領域の１０Ｎ／ｃｍの荷重下での横断方向の最大伸長率が、前記スリーブの前記中央領域の１０Ｎ／ｃｍの荷重下での横断方向の最大伸長率以下であり、かつ／又は、
前記第１の側部領域及び前記第２の側部領域の１０Ｎ／ｃｍの荷重下での長手方向の最大伸長率が、前記スリーブの前記中央領域の１０Ｎ／ｃｍの荷重下での長手方向の最大伸長率以下である、上記態様１〜２０のいずれかに記載の圧迫装置。
［２２］  前記身体部分が手足であり、前記スリーブが前記手足の少なくとも１つの主要筋を覆って延びるように、前記スリーブが前記手足の一部を覆うように構成及び配置され、前記主要筋が、以下の群、すなわち、前脛骨筋、ヒラメ筋、腓腹筋、大腿二頭筋、大腿直筋、内側広筋、中間広筋、外側広筋、前脛骨筋、ヒラメ筋、腓腹筋、大腿直筋、大腿二頭筋、及び外側広筋から選択されるか、又は、
前記身体部分が手足であり、前記スリーブが前記手足の少なくとも１つの主要筋を覆って延びるように、前記スリーブが前記手足の一部を覆うように構成及び配置され、前記主要筋が、以下の群、すなわち、橈側手根屈筋、尺側手根屈筋、長掌筋、腕橈骨筋、上腕二頭筋、上腕三頭筋、及び上腕筋から選択される、上記態様１〜２１のいずれかに記載の圧迫装置。
［２３］  前記スリーブ及び前記閉鎖システムが、使用時に、前記閉鎖システムの閉鎖に際して、前記スリーブの前記２つの側縁部同士が互いに引き寄せられるが、重なり合わないように構成及び配置される、上記態様１〜２２のいずれかに記載の圧迫装置。
［２４］  前記装置が舌部を更に備え、前記舌部が、使用時に前記舌部が前記スリーブの前記第１及び第２の側縁部に隣接して概ね中心に配置され、かつ前記スリーブの前記第１及び第２の側縁部に沿って延びるように前記スリーブに対して構成及び配置され、これにより、前記舌部が、前記使用者と、前記スリーブの前記第１の側縁部と前記第２の側縁部との間に画定される開口部との間に位置し、かつ各前記第１及び第２の側縁領域の少なくとも一部の下に位置することになる、上記態様１〜２３のいずれかに記載の圧迫装置。
［２５］  前記舌部が、その幅及び長さにほぼわたって延びる１個の補強材又は縦に延びる１個以上の細長い補強材を有し、かつ／又は
前記舌部が、発泡材、具体的には形状記憶発泡材、より具体的には高密度形状記憶発泡材を含む、上記態様２４に記載の圧迫装置。
［２６］  前記舌部が、発泡材の層、具体的には厚さ０．５ｍｍ以上〜１０ｍｍ以下の発泡材の層、より具体的には厚さ２ｍｍ以上〜６ｍｍ以下の発泡材の層を含む、上記態様２４又は２５に記載の圧迫装置。
［２７］  前記閉鎖システムが、前記スリーブの前記２つの側部領域の前記外側表面に設けられた複数の対向したひもガイドと、前記対向したガイド間を往復して延びるひもとを含む、上記態様１〜２６のいずれかに記載の圧迫装置。
［２８］  前記閉鎖システムが、前記ひもに張力を作用させることによって、前記対向したガイドを互いの方向に進めるように構成された少なくとも１つの回転可能な締め付け機構を含み、具体的には、前記少なくとも１つの回転可能な締め付け機構が少なくとも１つのガイドと一体に成形され、かつ／又は前記ひもが自由端を有しない、上記態様２７に記載の圧迫装置。
［２９］  前記閉鎖システムが、機械的締め付け閉鎖システムを含む、上記態様１〜２６のいずれかに記載の圧迫装置。
［３０］  前記第１の側部領域及び／又は前記第２の側部領域に、それぞれが近位端部及び遠位端部を有する複数のタブが設けられ、前記近位端部が前記スリーブの前記第１の側縁領域及び／又は前記第２の側縁領域にそれぞれ解放可能又は固定的に取り付けられることにより、前記タブがそれぞれ前記第１の側縁部及び／又は前記第２の側縁部を横切って、前記スリーブのほぼ横断方向に、その遠位端部が前記スリーブの前記中央部分から遠くに位置するようにして延び、各タブが内側主表面を有し、前記タブの前記遠位端部の前記内側主表面が機械的締結システムの一部を含み、各タブに対向する前記第２の側縁領域及び／又は前記第１の側縁領域のそれぞれの少なくとも前記外側表面が、前記機械的締結システムの相補的部分を含む、上記態様２９に記載の圧迫装置。
［３１］  前記タブが、前記側縁部を超えて外側に少なくとも２ｃｍ延び、かつ／又は、
各タブが、少なくとも６ｃｍの前記スリーブの横断方向に対する幅を有し、かつ／又は、
各タブが、最大で２５ｃｍの前記スリーブの横断方向に対する幅を有し、かつ／又は、
各タブが、少なくとも１ｃｍ、具体的には少なくとも２ｃｍ、より具体的には少なくとも３ｃｍの前記スリーブの横断方向に対する高さを有し、かつ／又は、
各締結タブが、最大で１０ｃｍ、具体的には最大で８ｃｍ、より具体的には最大で６ｃｍの前記スリーブの横断方向に対する高さを有する、上記態様３０に記載の圧迫装置。
［３２］  前記タブの前記遠位端部の前記内側主表面に、フック、ステム、及び／又はカップ形状の締結要素が設けられ、各タブに対向する前記第２の側縁領域及び／又は前記第１の側縁領域の前記外側表面のそれぞれが、前記締結要素により係合されるように適合された構造を有するか又はこうした構造が設けられる、上記態様３０又は３１に記載の圧迫装置。
［３３］  前記各タブの前記近位端部の前記内側主表面に、フック、ステム、及び／又はカップ形状の締結要素（第２のタブ締結要素）が設けられ、前記スリーブの前記第１の側縁領域及び／又は前記第２の側縁領域の前記外側表面が、前記第２のタブ締結要素により係合されるように適合された構造を有するか又はこうした構造が設けられ、前記締結タブの前記近位端部の前記内側主表面が、前記スリーブの前記第１の側縁領域及び／又は前記第２の側縁領域の前記外側表面のそれぞれに解放可能に取り付けられる、上記態様３０〜３２のいずれかに記載の圧迫装置。
［３４］  前記スリーブの前記第２の側縁領域に、前記スリーブの前記上縁部と前記下縁部との間に連続して複数のアイレット又は複数のリングが設けられ、前記装置が、複数のストリップ形状の機械的締結タブを更に備え、適用可能な場合、それぞれのアイレット又はリングに対して、内側タブ部分によって連結された近位端部と遠位端部とを有する１個のタブが設けられ、適用可能な場合、前記タブが、アイレット又はリングに対向して位置するとともに、その遠位端部が前記スリーブの前記中央部分から遠くに位置するようにして前記スリーブのほぼ横断方向に延びるように、前記近位端部が、前記スリーブの前記第１の側縁領域に解放可能又は固定的に取り付けられ、各タブが、前記スリーブの前記外側表面に向かって位置する内側主表面と、前記スリーブの前記外側表面から離れて位置する外側主表面とを有し、前記タブの前記遠位端部の前記外側主表面が、機械的締結システムの一部を含み、前記タブの前記近位端部の前記外側主表面が、前記機械的締結システムの相補的部分を含み、適用可能な場合、前記タブ及びアイレット又はリングが、適用可能な場合、使用時に、前記タブが前記アイレット又はリングに通され、次いでそれ自体の上に折り返されることにより、適用可能な場合、前記スリーブの前記第１の側縁部が前記アイレット又はリングの方向に引かれ、次いで前記スリーブが前記使用者の前記身体部分の周囲に締め付けられて拘束されるよう締結されるように、構成及び配置されている、上記態様２９に記載の圧迫装置。
［３５］  前記締結タブが前記第１の側縁部を横切って延びるように、具体的には前記締結タブが前記側縁部を外側に少なくとも２ｃｍ超えて延びるように、前記締結タブが取り付けられ、
各締結タブが、少なくとも６ｃｍの前記スリーブの横断方向に対する幅を有し、かつ／又は、
各締結タブが、最大で２５ｃｍの前記スリーブの横断方向に対する幅を有し、かつ／又は、
各締結タブが、少なくとも１ｃｍ、具体的には少なくとも２ｃｍ、より具体的には少なくとも３ｃｍの前記スリーブの横断方向に対する高さを有し、かつ／又は、
各締結タブが、最大で１０ｃｍ、具体的には最大で１０ｃｍ、より具体的には最大で６ｃｍの前記スリーブの横断方向に対する高さを有し、
前記スリーブが、前記使用者の前記身体部分に使用される際、平面（Ｐ）内にある中心軸（Ａ）を中心として配置され、適用可能な場合、前記複数のアイレット又はリングが第２の軸（Ｒ）に沿って延び、その場合、前記中心軸（Ａ）を含む前記平面（Ｐ）上への前記第２の軸（Ｒ）の投射に関して、前記第２の軸（Ｒ）が前記中心軸に対して平行に整列するか又はほぼ平行に整列し、かつ／又は、
適用可能な場合、前記複数のアイレット又はリングが、アイレット又はリングの間の間隙を含めて、前記上縁部から前記下縁部までの前記スリーブの高さの少なくとも７０％に相当する前記高さにわたってそれぞれ延び、かつ／又は、
適用可能な場合、アイレット及び各リングの間の間隙の前記高さが、０．１ｍｍ以上〜７ｃｍ以下、具体的には０．３ｍｍ以上〜３ｃｍ以下、より具体的には０．５ｍｍ〜２ｃｍの範囲である、上記態様３４に記載の圧迫装置。
［３６］  前記締結タブの前記内側タブ部分の前記外側主表面が、前記機械的締結システムの前記相補的部分を有する、上記態様３４又は３５に記載の圧迫装置。
［３７］  前記締結タブの前記遠位端部の前記外側主表面に、フック、ステム及び／又はカップ形状の締結要素（タブ締結要素）が設けられ、前記締結タブの前記近位端部の前記外側主表面が、前記締結要素によって係合されるように適合された構造を有するか又はこうした構造が設けられる、上記態様３４〜３６のいずれかに記載の圧迫装置。
［３８］  前記締結タブの前記内側タブ部分の前記外側主表面が、前記締結要素によって係合されるように適合された構造を有するか又はこうした構造が設けられる、上記態様３７に記載の圧迫装置。
［３９］  前記締結タブの前記近位端部の前記内側主表面に、フック、ステム、及び／又はカップ形状の締結要素（第２のタブ締結要素）が設けられ、前記スリーブの前記第１の側縁領域の前記外側表面が、前記第２のタブ締結要素により係合されるように適合された構造を有するか又はこうした構造が設けられ、前記締結タブの前記近位端部の前記内側主表面が、前記スリーブの前記第１の側縁領域の前記外側表面に解放可能に取り付けられる、上記態様３４〜３８のいずれかに記載の圧迫装置。
［４０］  前記締結タブの前記遠位端部の前記外側主表面の前記タブ締結要素が第１のタブ締結要素であり、前記スリーブの前記第１の側縁領域の前記外側表面が、前記第１及び第２のタブ締結要素によって係合されるように適合された構造を有するか又はこうした構造が設けられる、上記態様３７又は３８に従属する上記態様３９に記載の圧迫装置。
［４１］  前記スリーブの前記第１の側縁領域が、トリミング可能である、上記態様３４〜４０のいずれかに記載の圧迫装置。
［４２］  前記スリーブに前記一連のリングが設けられ、各リングが、前記スリーブと前記リングとの間で、前記スリーブのほぼ横断方向に延びるストラップにより解放可能又は固定的に取り付けられる、上記態様３４〜４１のいずれかに記載の圧迫装置。
［４３］  前記リングが、前記スリーブの前記第２の側縁部に沿って、前記縁部に隣接して又は前記縁部から離間し、かつ前記第２の側縁部から遠くに配置され、かつ／又は、
各ストラップが、少なくとも１ｃｍ、具体的には少なくとも２ｃｍ、より具体的には少なくとも３ｃｍの前記スリーブの横断方向に対する高さを有し、かつ／又は、
各ストラップが、最大で１０ｃｍ、具体的には最大で８ｃｍ、より具体的には最大で６ｃｍの前記スリーブの横断方向に対する高さを有し、かつ／又は、
ストラップ間の間隙の前記高さが、０．３ｍｍ以上〜７ｃｍ以下、具体的には０．３ｍｍ以上〜３ｃｍ以下、より具体的には０．５ｍｍ〜２ｃｍの範囲である、上記態様４２に記載の圧迫装置。
［４４］  前記ストラップの少なくとも一部が少なくとも横断方向に伸展可能であり、前記伸展可能な部分が、少なくとも横断方向に弾性を有する材料を含むとともに、前記伸展可能な部分が非伸展状態にある場合には外側に隆起した材料のループが外面に形成され、使用時に前記スリーブの横断方向に張力がかかっている場合には前記伸展可能な部分が横断方向に伸展して前記ループが平らに潰れるように、構成及び配置されている、上記態様４２又は４３に記載の圧迫装置。
［４５］  前記ループ材料の弾性率に前記ループ材料の厚さを乗じた積が、前記主材料の弾性率に前記主材料の厚さを乗じた積の少なくとも９０％であり、具体的には、前記ループ材料の弾性率に前記ループ材料の厚さを乗じた積が、前記主材料の弾性率に前記主材料の厚さを乗じた積に等しいか又はそれよりも大きい、上記態様４４に記載の圧迫装置。
［４６］  前記ストラップの前記伸展可能な部分が、外側の材料層及び内側の材料層の２層を有し、各前記材料が少なくとも横断方向に弾性を有し、前記内側層の材料の弾性率に前記内側層の材料の厚さを乗じた積が、前記外側層の材料の弾性率に前記外側層の材料の厚さを乗じた積よりも小さく、前記外側層の材料が前記ループ材料であり、前記内側の材料層が前記外側の材料層に結合されることにより、前記伸展可能なストラップ部分が非伸展状態にある場合、前記内側層の上に前記外側層の材料のループが形成され、該ループは、使用時に前記ストラップの伸展可能な部分に横断方向の張力、したがって伸展がかかっている場合には平らに潰れることができる、上記態様４４又は４５に記載の圧迫装置。
［４７］  前記内側層の材料の弾性率に前記内側層の材料の厚さを乗じた積が、前記外側層の材料の弾性率に前記外側層の材料の厚さを乗じた積よりも少なくとも２倍、具体的には少なくとも４倍低い、上記態様４６に記載の圧迫装置。
［４８］  前記ストラップの前記伸展可能な部分が、その非伸展状態において、少なくとも０．１ｃｍ、具体的には少なくとも０．５ｃｍの前記スリーブの横断方向に対する幅を有し、かつ／又は、
前記ストラップの前記部分がその非伸展状態において、最大で４ｃｍ、具体的には最大で３ｃｍの前記スリーブの横断方向に対する幅を有し、かつ／又は、
前記ストラップの前記伸展可能な部分が、その伸展状態における前記ループがちょうど完全に平らに潰れる点において、少なくとも１ｃｍの前記スリーブの横断方向に対する幅を有し、かつ／又は、
前記ストラップの前記部分が、その伸展状態における前記ループがちょうど完全に平らに潰れる点において、最大で８ｃｍ、具体的には最大で６ｃｍの前記スリーブの横断方向に対する幅を有する、上記態様４４〜４７のいずれかに記載の圧迫装置。
［４９］  前記ストリップの前記部分が非伸展状態にある場合、前記リングが、前記スリーブの前記第２の側縁部に沿って、前記縁部に隣接するか又は前記縁部から離間して、かつ前記第２の側縁部分から遠くに配置され、具体的には、各リングが前記スリーブの前記第２の側縁部の近くに側縁部を有する場合、前記リングの前記側縁部が、前記スリーブの前記第２の側縁部に隣接して配置されるか又は前記第２の側縁部から最大で４ｃｍ、具体的には最大で３ｃｍの距離だけ離間して配置される、上記態様４４〜４８のいずれかに記載の圧迫装置。
［５０］  前記閉鎖システムがジッパーであり、前記第１の側縁部に前記ジッパーの半分が設けられ、前記第２の側縁部に前記ジッパーの相補的な半分が設けられる、上記態様１〜２６のいずれかに記載の圧迫装置。
［５１］  前記スリーブが、前記スリーブの前記上縁部と前記下縁部との間にほぼ縦に延びる細長い伸展可能なガセットを含み、前記ガセットが前記スリーブの少なくとも横断方向に伸展可能であり、前記伸展可能なガセットが、少なくとも横断方向に弾性を有する材料を含むとともに、前記伸展可能なガセットがその非伸展状態にある場合には外側に隆起した材料のループが外面に形成され、使用時に前記スリーブの横断方向に張力がかかっている場合には前記伸展可能なガセットが横断方向に伸展して、前記ループが平らに潰れるように、構成及び配置されている、上記態様１〜５０のいずれかに記載の圧迫装置。
［５２］  前記ループ材料の弾性率に前記ループ材料の厚さを乗じた積が、前記主材料の弾性率に前記主材料の厚さを乗じた積の少なくとも９０％であり、具体的には、前記ループ材料の弾性率に前記ループ材料の厚さを乗じた積が、前記主材料の弾性率に前記主材料の厚さを乗じた積に等しいか又はそれよりも大きい、上記態様５１に記載の圧迫装置。
［５３］  前記ガセットが、前記スリーブの隣接して位置する材料と少なくとも部分的に一体に形成されるか、又は前記スリーブ内に嵌め込み要素として設けられる、上記態様５１又は５２に記載の圧迫装置。
［５４］  前記ガセットが、外側の材料層及び内側の材料層の２層を有し、各前記材料が少なくとも横断方向に弾性を有し、前記内側層の材料の弾性率に前記内側層の材料の厚さを乗じた積が、前記外側層の材料の弾性率に前記外側層の材料の厚さを乗じた積よりも小さく、前記外側層の材料が前記ループ材料であり、前記内側の材料層が前記外側の材料層に結合されることにより、前記ガセットがその非伸展状態にある場合、前記内側層の上に前記外側層の材料のループが形成され、該ループは、使用時に前記ガセットに横断方向の張力、したがって伸展がかかっている場合には平らに潰れることができる、上記態様５１〜５３のいずれかに記載の圧迫装置。
［５５］  前記内側層の材料の弾性率に前記内側層の材料の厚さを乗じた積が、前記外側層の材料の弾性率に前記外側層の材料の厚さを乗じた積よりも少なくとも２倍、具体的には少なくとも４倍低い、上記態様５４に記載の圧迫装置。
［５６］  前記ガセットの前記外側層が前記スリーブの隣接して位置する材料と一体に形成され、前記ガセットの前記内側層が、前記スリーブの前記内側表面に接着される別の材料のストリップとされるか、又は前記２層のガセットが前記スリーブ内に嵌め込み要素として設けられる、上記態様５４又は５５に記載の圧迫装置。
［５７］  前記ガセットが、その非伸展状態において、少なくとも０．１ｃｍ、具体的には少なくとも０．５ｃｍの前記スリーブの横断方向に対する幅を有し、かつ／又は、
前記ガセットが、その非伸展状態において、最大で４ｃｍ、具体的には最大で３ｃｍの前記スリーブの横断方向に対する幅を有し、かつ／又は、
前記ガセットが、その伸展状態における前記ループがちょうど完全に平らに潰れる点において、少なくとも１ｃｍの前記スリーブの横断方向に対する幅を有し、かつ／又は、
前記ガセットが、その伸展状態における前記ループがちょうど完全に平らに潰れる点において、最大で８ｃｍ、具体的には最大で６ｃｍの前記スリーブの横断方向に対する幅を有する、上記態様５１〜５６のいずれかに記載の圧迫装置。
［５８］  前記スリーブが、前記使用者の前記身体部分に使用される際、平面（Ｐ）内にある中心軸（Ａ）を中心として配置され、前記ガセットが第３の軸（Ｇ）に沿って延び、その場合、前記中心軸（Ａ）を含む前記平面（Ｐ）上への前記第３の軸（Ｇ）の投射に関して、前記第３の軸（Ｇ）は、前記中心軸に対して平行に整列するか、又は最大で２５°以下の鋭角（β）をなして傾斜する、上記態様５１〜５７のいずれかに記載の圧迫装置。
［５９］  前記ガセットが、前記上縁部から前記下縁部までの前記スリーブの高さの７０％〜１００％に相当する前記高さにわたって延び、具体的には、前記ガセットが前記スリーブの前記上縁部から前記下縁部にまで延びる、上記態様５１〜５８のいずれかに記載の圧迫装置。
【図１】
0006495889.tif 000013
【図２】
0006495889.tif 000014
【図３ａ】
0006495889.tif 000015
【図３ｂ】
0006495889.tif 000016
【図４】
0006495889.tif 000017
【図５】
0006495889.tif 000018
【図６】
0006495889.tif 000019
【図７】
0006495889.tif 000020
【図８】
0006495889.tif 000021
【図９】
0006495889.tif 000022
【図１０ａ】
0006495889.tif 000023
【図１０ｂ】
0006495889.tif 000024
【図１１】
0006495889.tif 000025
【図１２】
0006495889.tif 000026
【図１３】
0006495889.tif 000027
【図１４】
0006495889.tif 000028
【図１５ａ】
0006495889.tif 000029
【図１５ｂ】
0006495889.tif 000030
【図１５ｃ】
0006495889.tif 000031
【図１５ｄ】
0006495889.tif 000032
【図１５ｅ】
0006495889.tif 000033
【図１６ａ】
0006495889.tif 000034
【図１６ｂ】
0006495889.tif 000035
【図１６ｃ】
0006495889.tif 000036
【図１６ｄ】
0006495889.tif 000037
【図１７】
0006495889.tif 000038